(57)【要約】【課題】  駐車場の予約をおこなうパーキングサーバの運用方法とそのパーキングサーバと通信可能な電気通信機器用ソフトウエアを提供しようとする。【解決手段】  従来の駐車場の検索をおこなう運用方法に変わって、パーキングサーバが、複数の駐車場情報を準備・更新する準備・更新工程と、目的地に向かって走行する車両に搭載される電気通信機器から目的地位置情報を受信する検索情報受信工程と、複数の駐車場情報と最新の前記目的地位置情報とを基にして複数の駐車場から前記目的地位置情報に所定の地理的関係をもつ駐車場位置情報を関連づけられる駐車場である単数又は複数の検索駐車場を検索する検索工程と、を備え、前記準備・更新工程を繰り返し実施し、車両に対応して、前記検索情報主受信工程と前記検索工程とを実施する、ものとした。【選択図】    図１
2020201267.tif 000002
【特許請求の範囲】
【請求項１】
目的地に向かって走行する車両に対応して駐車場の検索をおこなう駐車場検索システムにおけるパーキングサーバと通信可能な電気通信機器用ソフトウエアであって、
電気通信機器に、
検索情報発信手順と予約通知受け取り手順とを実行させ、
前記検索情報発信手順がパーキングサーバへ目的地の位置情報である目的地位置情報を発信し、
前記予約通知受け取り手順がパーキングサーバから複数の駐車場の情報である複数の駐車場情報と最新の前記目的地位置情報とを基に検索した駐車場である単数または複数の検索駐車場のうちの一つの駐車場である予約駐車場を車両の駐車のため予約した旨の通知を受けとる、
ことを特徴とする電気通信機器用ソフトウエア。
【請求項２】
前記検索情報発信手順がパーキングサーバへ目的地の位置情報である目的地位置情報と該目的地に到着する予定時刻である到着予定時刻とを発信し、
前記予約通知受け取り手順がパーキングサーバから複数の駐車場の情報である複数の駐車場情報と最新の前記目的地位置情報と最新の前記到着予定時刻とを基に検索した駐車場である単数または複数の検索駐車場のうちの一つの駐車場である予約駐車場を車両の駐車のため予約した旨の通知と共に前記予約駐車場での駐車を予約した駐車時刻である駐車予約時刻とを受けとる、
ことを特徴とする請求項１に記載の電気通信機器用ソフトウエア。
【請求項３】
電気通信機器に、
前記検索情報発信手順と前記予約通知受け取り手順とを実行させた後で再検索判断手順を実行させ、実行した該再検索判断手順が再検索が必要と判断すると解約指示手順と前記検索情報発信手順と前記予約通知受け取り手順とを実行させ、
前記再検索判断手順が最新の前記到着予定時刻を基に駐車場の再検索が必要な否かを判断し、
前記解約指示手順が前記予約駐車場の予約を解約することをパーキングサーバに指示する、
ことを特徴とする請求項２に記載の電気通信機器用ソフトウエア。
【請求項４】
前記再検索判断手順が最新の前記到着予定時刻を基にして前記到着予定時刻と前記駐車予約時刻とが所定の時間的関係をもたないとき駐車場の再検索が必要と判断する、
ことを特徴とする請求項３に記載の電気通信機器用ソフトウエア。
【請求項５】
前記予約通知受け取り手順がパーキングサーバから複数の駐車場の情報である複数の駐車場情報と最新の前記目的地位置情報とを基に検索した駐車場である単数または複数の検索駐車場のうちの一つの駐車場である前記予約駐車場を車両の駐車のため予約した旨の通知と共に前記予約駐車場の位置情報である予約駐車場位置情報と駐車場での駐車を予約した駐車時刻である駐車予約時刻とを受け取り、
前記再検索判断手順が最新の前記目的位置情報と最新の前記到着予定時刻とを基に前記目的位置情報と前記予約駐車場位置情報とが所定の地理的関係をもたないとき、または前記到着予定時刻と前記駐車予約時刻とが所定の時間的関係をもたないとき駐車場の再検索が必要と判断する、
ことを特徴とする請求項４に記載の電気通信機器用ソフトウエア。
【請求項６】
電気通信機器に、
経路変更検知手順を実行させ、実行した該経路変更検知手順が寄り道もしくは目的地が変更されたと判断したときに前記解約指示手順と前記検索情報発信手順と前記予約通知受け取り手順とを実行させ、
前記経路変更検知手順が車両の移動経路の変更が頻発したとき寄り道もしくは目的地が変更されたと判断する、
ことを特徴とする請求項５に記載の電気通信機器用ソフトウエア。
【請求項７】
車両が前記予約駐車場に到着したときにドライバの操作により電気通信機器に予約認証要求手順を実行させ、
前記予約認証要求がパーキングサーバに前記予約駐車場へ駐車の予約の認証である予約認証を求める、
ことを特徴とする請求項６に記載の電気通信機器用ソフトウエア。
【請求項８】
電気通信機器に、
前記予約通知受け取り手順と経路ナビ手順とを、
実行させ、
前記予約通知受け取り手順がパーキングサーバから前記予約駐車場を車両の駐車のため予約した旨の通知と共に予約した前記予約駐車場の位置情報である予約駐車場位置情報を受信し、
前記経路ナビ手順が前記目的地を前記予約駐車場位置情報に対応する駐車場所位置に置き換えて目的地までの経路をナビゲーションする、
ことを特徴とする請求項７に記載の電気通信機器用ソフトウエア。
【請求項９】
電気通信機器に、
前記検索情報発信手順と前記予約通知受け取り手順とを実行させた後で再検索判断手順を実行させ、実行した該再検索判断手順が再検索が必要と判断すると前記検索情報発信手順と解約指示手順と前記予約通知受け取り手順とを実行させ、
前記予約通知受け取り手順がパーキングサーバから複数の駐車場の情報である複数の駐車場情報と最新の前記目的地位置情報とを基に検索した駐車場である単数または複数の検索駐車場のうちの一つの駐車場である予約駐車場を車両の駐車のため予約した旨の通知と共に前記予約駐車場の位置情報である予約駐車場位置情報を受け取り、
前記再検索判断手順が前記予約駐車場位置情報と前記目的地位置情報とを基に駐車場の再検索が必要な否かを判断し、
前記解約指示手順が前記予約駐車場の予約を解約することをパーキングサーバに指示する、
ことを特徴とする請求項１に記載の電気通信機器用ソフトウエア。
【請求項１０】
電気通信機器に、
前記検索情報発信手順と前記予約通知受け取り手順とを実行させた後で再検索判断手順を実行させ、実行した該再検索判断手順が再検索が必要と判断すると前記検索情報発信手順と解約指示手順と前記予約通知受け取り手順とを実行させ、
前記検索通知受け取り手順がパーキングサーバから複数の駐車場の情報である複数の駐車場情報と最新の前記目的地位置情報とを基に検索した駐車場である単数または複数の検索駐車場のうちの一つの駐車場である前記予約駐車場を車両の駐車のため予約した旨の通知と共に前記予約駐車場の位置情報である予約駐車場位置情報を受け取り、
前記再検索判断手順が最新の前記目的地位置情報を基にして前記予約駐車場位置情報と前記目的地位置情報とが所定の地理的関係をもたないとき駐車場の再検索が必要と判断し
前記解約指示手順が前記予約駐車場の予約を解約することをパーキングサーバに指示する、
ことを特徴とする請求項１に記載の電気通信機器用ソフトウエア。
【請求項１１】
電気通信機器に、
経路変更検知手順を実行させ、実行した該経路変更検知手順が寄り道もしくは目的地が変更されたと判断したときに前記解約指示手順と前記検索情報発信手順と前記予約通知受け取り手順とを実行させ、
前記経路変更検知手順が移動経路の変更が頻発したときに、寄り道もしくは目的地が変更されたと判断する、
ことを特徴とする請求項１に記載の電気通信機器用ソフトウエア。
【請求項１２】
車両が前記予約駐車場に到着したときにドライバの操作により電気通信機器に予約認証要求手順を実行させ、
前記予約認証要求はパーキングサーバに前記予約駐車場へ駐車の予約の認証である予約認証を求める、
ことを特徴とする請求項１に記載の電気通信機器用ソフトウエア。
【請求項１３】
電気通信機器に、
前記予約通知受け取り手順と経路ナビ手順とを、
実行させ、
前記予約通知受け取り手順がパーキングサーバから前記予約駐車場の位置情報である予約駐車場位置情報を受信し、
前記経路ナビ手順が前記目的地を前記駐車場位置情報に対応する駐車場所位置に置き換えて目的地までの経路をナビゲーションする、
ことを特徴とする請求項１に記載の電気通信機器用ソフトウエア。
【発明の詳細な説明】
【技術分野】
【０００１】
本発明は、駐車場の予約をおこなうパーキングサーバの運用方法とそのパーキングサーバと通信可能な電気通信機器用ソフトウエアとに係る。
【背景技術】
【０００２】
一般的な駐車場検索サイトやカーナビでの駐車場検索では、検索操作が必要である。
目的地の周辺に駐車場を探すために、車を停止させて、スマートフォンやカーナビを操作して駐車場を検索する。
【０００３】
事前に駐車場を予約できないこともある。
スマートフォンやカーナビでの検索では、駐車場の十分な情報を得ることができない。
例えば、駐車料金、駐車場に到着した時の空き情報、入庫可能な車種毎の空き情報を得ることができない。
出発時や移動途中に検索した時の駐車場情報をたよりに目的地にいくと、付いた駐車場に入庫できないこともある。
【０００４】
そこで、スマートフォンやカーナビの位置情報を基に到着時刻に合わせた駐車場の予約をしたいという要請があった。
その様にすると、目的地で駐車場を探す時間を省略でき、ストレスがなくなる。  
また、目的地周辺で駐車できない状況がなくなる。
【発明の概要】
【発明が解決しようとする課題】
【０００５】
本発明は以上に述べた問題点に鑑み案出されたもので、駐車場の予約をおこなうパーキングサーバの運用方法とそのパーキングサーバと通信可能な電気通信機器用ソフトウエアを提供しようとする。
【課題を解決するための手段】
【０００６】
上記目的を達成するため、本発明に係る車両に対応して駐車場の検索をおこなうパーキングサーバの運用方法であって、複数の駐車場の情報である複数の駐車場情報を準備・更新する準備・更新工程と、目的地に向かって走行する車両に搭載される電気通信機器から該目的地の位置情報である目的地位置情報を受信する検索情報受信工程と、複数の駐車場情報と最新の前記目的地位置情報とを基にして複数の駐車場から前記目的地位置情報に所定の地理的関係をもつ駐車場位置情報を関連づけられる駐車場である単数又は複数の検索駐車場を検索する検索工程と、を備え、前記準備・更新工程を繰り返し実施し、車両に対応して、前記検索情報主受信工程と前記検索工程とを実施する、ものとした。
【０００７】
上記本発明の構成により、準備・更新工程が、複数の駐車場の情報である複数の駐車場情報を準備・更新する。検索情報受信工程が、目的地に向かって走行する車両に搭載される電気通信機器から該目的地の位置情報である目的地位置情報を受信する。検索工程が、複数の駐車場情報と最新の前記目的地位置情報とを基にして複数の駐車場から前記目的地位置情報に所定の地理的関係をもつ駐車場位置情報を関連づけられる駐車場である単数又は複数の検索駐車場を検索する。準備・更新工程を繰り返し実施する。車両に対応して、前記検索情報主受信工程と前記検索工程とを実施する。
その結果、車両の目的地に所定の地理的関係にある駐車場を目的地に着く前に検索できる。
【０００８】
以下に、本発明の実施形態に係るパーキングサーバの運用方法を説明する。本発明は、以下に記載した実施形態のいずれか、またはそれらの中の二つ以上が組み合わされた態様を含む。
【０００９】
本発明の実施形態に係るパーキングサーバの運用方法は、単数又は複数の前記検索駐車場のうちの一つの駐車場である前記予約駐車場を車両の駐車のために予約する予約工程と、を備え、車両に対応して、前記検索情報受信工程と前記検索工程と前記予約工程とを実施する。
上記の実施形態の構成により、予約工程が、単数又は複数の前記検索駐車場のうちの一つの駐車場である前記予約駐車場を車両の駐車のために予約する。
その結果、車両の目的地に所定の地理的関係にある駐車場を目的地に着く前に予約できる。
【００１０】
本発明の実施形態に係るパーキングサーバの運用方法は、前記検索情報受信工程が目的地に向かって走行する車両に搭載される電気通信機器から該目的地の位置情報である目的地位置情報と該目的地に到着する予定時刻である到着予定時刻とを受信し、前記検索工程が複数の駐車場情報と最新の前記目的地位置情報と最新の前記到着予定時刻とを基にして複数の駐車場から前記目的地位置情報に所定の地理的関係をもつ駐車場位置情報を関連づけられ、且つ前記到着予定時刻に所定の時間的関係をもつ時刻に駐車可能である駐車場である単数または複数の前記検索駐車場を検索し、前記予約工程が単数又は複数の前記検索駐車場のうちの一つの駐車場である前記予約駐車場を車両の駐車のために前記到着予定時刻に所定の時間的関係をもつ時刻である駐車予約時刻で予約する。
上記の実施形態の構成により、前記検索情報受信工程が目的地に向かって走行する車両に搭載される電気通信機器から該目的地の位置情報である目的地位置情報と該目的地に到着する予定時刻である到着予定時刻とを受信する。前記検索工程が複数の駐車場情報と最新の前記目的地位置情報と最新の前記到着予定時刻とを基にして複数の駐車場から前記目的地位置情報に所定の地理的関係をもつ駐車場位置情報を関連づけられ、且つ前記到着予定時刻に所定の時間的関係をもつ時刻に駐車可能である駐車場である単数または複数の前記検索駐車場を検索する。前記予約工程が単数又は複数の前記検索駐車場のうちの一つの駐車場である前記予約駐車場を車両の駐車のために前記到着予定時刻に所定の時間的関係をもつ時刻である駐車予約時刻で予約する。
その結果、車両の目的地に所定の地理的関係にあり到着予定時刻に所定の時間的関係のある駐車場を目的地に着く前に検索できる。
【００１１】
本発明の実施形態に係るパーキングサーバの運用方法は、車両の型式の情報である車両型式情報を特定する型式特定工程と、を備え、前記検索情報受信工程が前記目的地位置情報と前記到着予定時刻と車両の情報である車両情報とを受信し、前記型式特定工程が前記車両情報を基にして車両の型式の情報である車両型式情報を特定し、前記検索工程が複数の駐車場情報と最新の前記目的地位置情報と最新の前記到着予定時刻と前記車両型式情報とを基にして複数の駐車場から前記目的地位置情報に所定の地理的関係をもつ駐車場位置情報を関連づけられ、且つ前記到着予定時刻に所定の時間的関係をもつ時刻に駐車可能であり、且つ前記車両型式情報に対応する車両型式の車両を受入れ可能な駐車場である単数又は複数の前記検索駐車場を検索し、車両に対応して、前記検索情報受信工程と前記型式特定工程と前記検索工程とを実施する。
上記の実施形態の構成により、前記検索情報受信工程が前記目的地位置情報と前記到着予定時刻と車両の情報である車両情報とを受信する。前記型式特定工程が前記車両情報を基にして車両の型式の情報である車両型式情報を特定する。前記検索工程が複数の駐車場情報と最新の前記目的地位置情報と最新の前記到着予定時刻と前記車両型式情報とを基にして複数の駐車場から前記目的地位置情報に所定の地理的関係をもつ駐車場位置情報を関連づけられ、且つ前記到着予定時刻に所定の時間的関係をもつ時刻に駐車可能であり、且つ前記車両型式情報に対応する車両型式の車両を受入れ可能な駐車場である単数又は複数の前記検索駐車場を検索する。車両に対応して、前記検索情報受信工程と前記型式特定工程と前記検索工程とを実施する。
その結果、車両の目的地に所定の地理的関係にあり到着予定時刻に所定の時間的関係のあり、且つ前記車両型式情報に対応する車両型式の車両を受入れ可能な駐車場を目的地に着く前に検索できる。
【００１２】
本発明の実施形態に係るパーキングサーバの運用方法は、最新の前記目的地位置情報を基にして駐車場の再検索が必要な否かを判断する再検索判断工程と、を備え、車両に対応して、前記検索情報受信工程と前記検索工程とを実施した後で前記検索情報受信工程と前記再検索判断工程とを実施し、実施した前記再検索判断工程で再検索が必要と判断すると前記検索工程とを実施する。
上記の実施形態の構成により、再検索判断工程が、最新の前記目的地位置情報を基にして駐車場の再検索が必要な否かを判断する。車両に対応して、前記検索情報受信工程と前記検索工程とを実施した後で前記検索情報受信工程と前記再検索判断工程とを実施し、実施した前記再検索判断工程で再検索が必要と判断すると前記検索工程とを実施する。
その結果、車両の目的地に所定の地理的関係にあり到着予定時刻に所定の時間的関係のあり、且つ前記車両型式情報に対応する車両型式の車両を受入れ可能な駐車場を目的地に着く前に検索できる。
【００１３】
本発明の実施形態に係るパーキングサーバの運用方法は、前記再検索判断工程が最新の前記目的地位置情報を基にして前記目的地位置情報と前記予約駐車場に関連づけられる位置情報である予約駐車場位置情報とが所定の地理的関係をもたないとき駐車場の再検索が必要と判断する。
上記の実施形態の構成により、前記再検索判断工程が最新の前記目的地位置情報を基にして前記目的地位置情報と前記予約駐車場に関連づけられる位置情報である予約駐車場位置情報とが所定の地理的関係をもたないとき駐車場の再検索が必要と判断する。
その結果、走行中に目的地が変更になったときも迅速に予約駐車場を変更できる。
【００１４】
本発明の実施形態に係るパーキングサーバの運用方法は、前記再検索判断工程が最新の前記目的地位置情報と最新の前記到着予定時刻とを基にして駐車場の再検索が必要な否かを判断する。
上記の実施形態の構成により、記再検索判断工程が最新の前記目的地位置情報と最新の前記到着予定時刻とを基にして駐車場の再検索が必要な否かを判断する。
その結果、走行中に目的地が変更になった、または目的地到着時刻が大きく変化したときも迅速に予約駐車場を変更できる。
【００１５】
本発明の実施形態に係るパーキングサーバの運用方法は、前記再検索判断工程が最新の前記目的地位置情報と最新の前記到着予定時刻とを基にして前記目的地位置情報と前記予約駐車場に関連づけられる位置情報である予約駐車場位置情報とが所定の地理的関係をもたない、または前記到着予定時刻と前記駐車予約時刻とが所定の時間的関係をもたないとき駐車場の再検索が必要と判断する。
上記の実施形態の構成により、前記再検索判断工程が最新の前記目的地位置情報と最新の前記到着予定時刻とを基にして前記目的地位置情報と前記予約駐車場に関連づけられる位置情報である予約駐車場位置情報とが所定の地理的関係をもたない、または前記到着予定時刻と前記駐車予約時刻とが所定の時間的関係をもたないとき駐車場の再検索が必要と判断する。
その結果、走行中に目的地が変更になった、または目的地到着時刻が大きく変化したときも迅速に予約駐車場を変更できる。
【００１６】
本発明の実施形態に係るパーキングサーバの運用方法は、前記予約工程が車両の前記電気通信機器に前記予約駐車場の位置情報である予約駐車場位置情報を送信する。
上記の実施形態の構成により、前記予約工程が車両の前記電気通信機器に前記予約駐車場の位置情報である予約駐車場位置情報を送信する。
その結果、前記電気通信機器は予約駐車場の位置を知ることができる。
【００１７】
本発明の実施形態に係るパーキングサーバの運用方法は、前記検索工程が車両の前記電気通信機器に単数又は複数の前記検索駐車場の位置情報である単数又は複数の検索駐車場位置情報を送信する。
上記の実施形態の構成により、前記検索工程が車両の前記電気通信機器に単数又は複数の前記検索駐車場の位置情報である単数又は複数の検索駐車場位置情報を送信する。
その結果、前記電気通信機器は検索駐車場の位置を知ることができる。
【００１８】
本発明の実施形態に係るパーキングサーバの運用方法は、目的地に向かって走行する車両に搭載される電気通信機器から該目的地の位置情報である目的地位置情報と該目的地に到着する予定時刻である到着予定時刻を受信する前記検索情報受信工程と、最新の前記到着予定時刻を基にして駐車場の再検索が必要な否かを判断する再検索判断工程と、を備え、車両に対応して、前記検索情報受信工程と前記検索工程とを実施した後で前記検索情報受信工程と前記再検索判断工程を実施し、実施した前記再検索判断工程で再検索が必要と判断すると前記検索工程とを実施する。
上記の実施形態の構成により、前記検索情報受信工程が、目的地に向かって走行する車両に搭載される電気通信機器から該目的地の位置情報である目的地位置情報と該目的地に到着する予定時刻である到着予定時刻を受信する。再検索判断工程が、最新の前記到着予定時刻を基にして駐車場の再検索が必要な否かを判断する。車両に対応して、前記検索情報受信工程と前記検索工程とを実施した後で前記検索情報受信工程と前記再検索判断工程を実施し、実施した前記再検索判断工程で再検索が必要と判断すると前記検索工程とを実施する、
その結果、目的地到着時刻が変化したときも迅速に予約駐車場を変更できる。
【００１９】
本発明の実施形態に係るパーキングサーバの運用方法は、目的地に向かって走行する車両に搭載される電気通信機器から該目的地の位置情報である目的地位置情報と該目的地に到着する予定時刻である到着予定時刻とを受信する前記検索情報受信工程と、最新の前記到着予定時刻を基にして前記到着予定時刻と前記駐車予約時刻とが所定の時間的関係をもたないとき駐車場の再検索が必要と判断する前記再検索判断工程と、を備え、車両に対応して、前記検索情報受信工程と前記検索工程とを実施した後で前記検索情報受信工程と前記再検索判断工程を実施し、実施した前記再検索判断工程で再検索が必要と判断すると前記検索工程を実施する。
上記の実施形態の構成により、前記検索情報受信工程が、目的地に向かって走行する車両に搭載される電気通信機器から該目的地の位置情報である目的地位置情報と該目的地に到着する予定時刻である到着予定時刻とを受信する。前記再検索判断工程が、最新の前記到着予定時刻を基にして前記到着予定時刻と前記駐車予約時刻とが所定の時間的関係をもたないとき駐車場の再検索が必要と判断する。車両に対応して、前記検索情報受信工程と前記検索工程とを実施した後で前記検索情報受信工程と前記再検索判断工程を実施し、実施した前記再検索判断工程で再検索が必要と判断すると前記検索工程を実施する。
その結果、目的地到着時刻が大きく変化したときも迅速に予約駐車場を変更できる。
【００２０】
本発明の実施形態に係るパーキングサーバの運用方法は、前記駐車場情報が駐車場が故障中または点検中であるか否かを示す情報である故障中／点検中情報を含み、前記検索工程が、最新の前記駐車場情報を基にして、複数の駐車場から前記故障中／点検中情報が故障中または点検中であることを示す駐車場を除外して複数の検索駐車場を検索する。
上記の実施形態の構成により、前記駐車場情報が駐車場が故障中または点検中であるか否かを示す情報である故障中／点検中情報を含む。
前記検索工程が、最新の前記駐車場情報を基にして、複数の駐車場から前記故障中／点検中情報が故障中または点検中であることを示す駐車場を除外して複数の検索駐車場を検索する。
その結果、故障中または点検中の駐車場を検索駐車場の対象から外すことができる。
【００２１】
本発明の実施形態に係るパーキングサーバの運用方法は、前記駐車場情報が駐車場の到着してからの入出庫しにくさの度合いである混雑度を示す混雑度情報を含み、前記予約工程が、最新の前記駐車場情報を基にして、複数の前記検索駐車場のうちの前記混雑度情報が示す前記混雑度が最も低い一つの駐車場である前記予約駐車場を車両の駐車のために予約する。
上記の実施形態の構成により、前記駐車場情報が駐車場の到着してからの入出庫しにくさの度合いである混雑度を示す混雑度情報を含む。前記予約工程が、最新の前記駐車場情報を基にして、複数の前記検索駐車場のうちの前記混雑度情報が示す前記混雑度が最も低い一つの駐車場である前記予約駐車場を車両の駐車のために予約する。
その結果、検索した複数の駐車場のうちから混雑度の低い駐車場を予約できる。
【００２２】
本発明の実施形態に係るパーキングサーバの運用方法は、駐車場の入出庫口での単位時間当たりの入庫回数、出庫回数、両者の合計回数のうちのどれか一つの回数が多いときに前記混雑度が高く、駐車場の入出庫口での単位時間当たりの入庫回数、出庫回数、両者の合計回数のうちのどれか一つの回数が少ないときに前記混雑度が低い。
上記の実施形態の構成により、駐車場の入出庫口での単位時間当たりの入庫回数、出庫回数、両者の合計回数のうちのどれか一つの回数が多いときに前記混雑度が高い。駐車場の入出庫口での単位時間当たりの入庫回数、出庫回数、両者の合計回数のうちのどれか一つの回数が少ないときに前記混雑度が低い。
その結果、検索した複数の駐車場のうちから入出庫の頻度の低い駐車場を予約できる。
【００２３】
上記目的を達成するため、本発明に係る目的地に向かって走行する車両に搭載され駐車場の検索をおこなうパーキングサーバと通信可能な電気通信機器用ソフトウエアであって、電気通信機器に、検索情報発信手順と予約通知受け取り手順とを実行させ、前記検索情報発信手順がパーキングサーバへ目的地の位置情報である目的地位置情報を発信し、前記予約通知受け取り手順がパーキングサーバから複数の駐車場の情報である複数の駐車場情報と最新の前記目的地位置情報とを基にして検索した駐車場である単数または複数の検索駐車場のうちの一つの駐車場である予約駐車場を車両の駐車のため予約した旨の通知を受けとる、ものとした。
【００２４】
上記本発明の構成により、電気通信機器に、検索情報発信手順と予約通知受け取り手順とを実行させる。前記検索情報発信手順がパーキングサーバへ目的地の位置情報である目的地位置情報を発信する。前記予約通知受け取り手順がパーキングサーバから複数の駐車場の情報である複数の駐車場情報と最新の前記目的地位置情報とを基にして検索した駐車場である単数または複数の検索駐車場のうちの一つの駐車場である予約駐車場を車両の駐車のため予約した旨の通知を受けとる。
その結果、目的地位置情報を考慮して検索した駐車場を予約できる。
【００２５】
以下に、本発明の実施形態に係る電気通信機器用ソフトウエアを説明する。本発明は、以下に記載した実施形態のいずれか、またはそれらの中の二つ以上が組み合わされた態様を含む。
【００２６】
本発明の実施形態に係る電気通信機器用ソフトウエアは、前記検索情報発信手順がパーキングサーバへ目的地の位置情報である目的地位置情報と該目的地に到着する予定時刻である到着予定時刻とを発信し、前記予約通知受け取り手順がパーキングサーバから複数の駐車場の情報である複数の駐車場情報と最新の前記目的地位置情報と最新の前記到着予定時刻とを基にして検索した駐車場である単数または複数の検索駐車場のうちの一つの駐車場である予約駐車場を車両の駐車のため予約した旨の通知と共に前記予約駐車場での駐車を予約した駐車時刻である駐車予約時刻とを受けとる。
上記の実施形態の構成により、前記検索情報発信手順が、パーキングサーバへ目的地の位置情報である目的地位置情報と該目的地に到着する予定時刻である到着予定時刻とを発信する。前記予約通知受け取り手順が、パーキングサーバから複数の駐車場の情報である複数の駐車場情報と最新の前記目的地位置情報と最新の前記到着予定時刻とを基にして検索した駐車場である単数または複数の検索駐車場のうちの一つの駐車場である予約駐車場を車両の駐車のため予約した旨の通知と共に前記予約駐車場での駐車を予約した駐車時刻である駐車予約時刻とを受けとる。
その結果、目的地位置情報と到着予定時刻とを考慮して検索した駐車場を予約できる。
【００２７】
本発明の実施形態に係る電気通信機器用ソフトウエアは、電気通信機器に、前記検索情報発信手順と前記予約通知受け取り手順とを実行させた後で再検索判断手順を実行させ、実行した該再検索判断手順が再検索が必要と判断すると解約指示手順と前記検索情報発信手順と前記予約通知受け取り手順とを実行させ、前記再検索判断手順が最新の前記到着予定時刻を基にして駐車場の再検索が必要な否かを判断し、前記解約指示手順が前記予約駐車場の予約を解約することをパーキングサーバに指示する。
上記の実施形態の構成により、電気通信機器に、前記検索情報発信手順と前記予約通知受け取り手順とを実行させた後で再検索判断手順を実行させ、実行した該再検索判断手順が再検索が必要と判断すると解約指示手順と前記検索情報発信手順と前記予約通知受け取り手順とを実行させる。前記再検索判断手順が最新の前記到着予定時刻を基にして駐車場の再検索が必要な否かを判断する。前記解約指示手順が前記予約駐車場の予約を解約することをパーキングサーバに指示する。
その結果、前記到着予定時刻を考慮して検索した駐車場を再予約できる。
【００２８】
本発明の実施形態に係る電気通信機器用ソフトウエアは、前記再検索判断手順が最新の前記到着予定時刻を基にして前記到着予定時刻と前記駐車予約時刻とが所定の時間的関係をもたないとき駐車場の再検索が必要と判断する。
上記の実施形態の構成により、前記再検索判断手順が最新の前記到着予定時刻を基にしての前記到着予定時刻と前記駐車予約時刻とが所定の時間的関係をもたないとき駐車場の再検索が必要と判断する。
その結果、到着予定時刻を考量して駐車場を再予約できる。
【００２９】
本発明の実施形態に係る電気通信機器用ソフトウエアは、前記予約通知受け取り手順がパーキングサーバから複数の駐車場の情報である複数の駐車場情報と最新の前記目的地位置情報とを基にして検索した駐車場である単数または複数の検索駐車場のうちの一つの駐車場である前記予約駐車場を車両の駐車のため予約した旨の通知と共に前記予約駐車場の位置情報である予約駐車場位置情報と駐車場での駐車を予約した駐車時刻である駐車予約時刻とを受け取り、前記再検索判断手順が最新の前記目的地位置情報と最新の前記到着予定時刻とを基にして前記目的地位置情報と前記予約駐車場位置情報とが所定の地理的関係をもたないとき、または前記到着予定時刻と前記駐車予約時刻とが所定の時間的関係をもたないとき駐車場の再検索が必要と判断する。
上記の実施形態の構成により、前記予約通知受け取り手順がパーキングサーバから複数の駐車場の情報である複数の駐車場情報と最新の前記目的地位置情報とを基にして検索した駐車場である単数または複数の検索駐車場のうちの一つの駐車場である前記予約駐車場を車両の駐車のため予約した旨の通知と共に前記予約駐車場の位置情報である予約駐車場位置情報と駐車場での駐車を予約した駐車時刻である駐車予約時刻とを受け取る。前記再検索判断手順が最新の前記目的地位置情報と最新の前記到着予定時刻とを基にして前記目的地位置情報と前記予約駐車場位置情報とが所定の地理的関係をもたないとき、または前記到着予定時刻と前記駐車予約時刻とが所定の時間的関係をもたないとき駐車場の再検索が必要と判断する。
その結果、前記目的地位置情報と前記到着予定時刻とを考慮して駐車場を再予約できる。
【００３０】
本発明の実施形態に係る電気通信機器用ソフトウエアは、電気通信機器に、経路変更検知手順を実行させ、実行した該経路変更検知手順が寄り道もしくは目的地が変更されたと判断したときに前記解約指示手順と前記検索情報発信手順と前記予約通知受け取り手順とを実行させ、前記経路変更検知手順が車両の移動経路の変更が頻発したとき寄り道もしくは目的地が変更されたと判断する。
上記の実施形態の構成により、電気通信機器に、経路変更検知手順を実行させ、実行した該経路変更検知手順が寄り道もしくは目的地が変更されたと判断したときに前記解約指示手順と前記検索情報発信手順と前記予約通知受け取り手順とを実行させる。前記経路変更検知手順が車両の移動経路の変更が頻発したとき寄り道もしくは目的地が変更されたと判断する。
その結果、移動経路の変更が頻発したとき駐車場を再予約できる。
【００３１】
本発明の実施形態に係る電気通信機器用ソフトウエアは、車両が前記予約駐車場に到着したときにドライバの操作により電気通信機器に予約認証要求手順を実行させ、前記予約認証要求がパーキングサーバに前記予約駐車場へ駐車の予約の認証である予約認証を求める。
上記の実施形態の構成により、車両が前記予約駐車場に到着したときにドライバの操作により電気通信機器に予約認証要求手順を実行させる。前記予約認証要求がパーキングサーバに前記予約駐車場へ駐車の予約の認証である予約認証を求める。
その結果、パーキングサーバが予約駐車場へ予約を認証して車両を予約駐車場に駐車できる。
【００３２】
本発明の実施形態に係る電気通信機器用ソフトウエアは、電気通信機器に、前記予約通知受け取り手順と経路ナビ手順とを、実行させ、前記予約通知受け取り手順がパーキングサーバから前記予約駐車場を車両の駐車のため予約した旨の通知と共に予約した前記予約駐車場の位置情報である予約駐車場位置情報を受信し、前記経路ナビ手順が前記目的地を前記予約駐車場位置情報に対応する駐車場所位置に置き換えて目的地までの経路をナビゲーションする。
上記の実施形態の構成により、電気通信機器に、前記予約通知受け取り手順と経路ナビ手順とを実行させる。前記予約通知受け取り手順がパーキングサーバから前記予約駐車場を車両の駐車のため予約した旨の通知と共に予約した前記予約駐車場の位置情報である予約駐車場位置情報を受信する。前記経路ナビ手順が前記目的地を前記予約駐車場位置情報に対応する駐車場所位置に置き換えて目的地までの経路をナビゲーションする。
その結果、予約駐車場へ迅速に到着できる。
【００３３】
本発明の実施形態に係る電気通信機器用ソフトウエアは、電気通信機器に、前記検索情報発信手順と前記予約通知受け取り手順とを実行させた後で再検索判断手順を実行させ、実行した該再検索判断手順が再検索が必要と判断すると前記検索情報発信手順と解約指示手順と前記予約通知受け取り手順とを実行させ、前記予約通知受け取り手順がパーキングサーバから複数の駐車場の情報である複数の駐車場情報と最新の前記目的地位置情報とを基にして検索した駐車場である単数または複数の検索駐車場のうちの一つの駐車場である予約駐車場を車両の駐車のため予約した旨の通知と共に前記予約駐車場の位置情報である予約駐車場位置情報を受け取り、前記再検索判断手順が前記予約駐車場位置情報と前記目的地位置情報とを基にして駐車場の再検索が必要な否かを判断し、前記解約指示手順が前記予約駐車場の予約を解約することをパーキングサーバに指示する。
上記の実施形態の構成により、電気通信機器に、前記検索情報発信手順と前記予約通知受け取り手順とを実行させた後で再検索判断手順を実行させ、実行した該再検索判断手順が再検索が必要と判断すると前記検索情報発信手順と解約指示手順と前記予約通知受け取り手順とを実行させる。前記予約通知受け取り手順がパーキングサーバから複数の駐車場の情報である複数の駐車場情報と最新の前記目的地位置情報とを基にして検索した駐車場である単数または複数の検索駐車場のうちの一つの駐車場である予約駐車場を車両の駐車のため予約した旨の通知と共に前記予約駐車場の位置情報である予約駐車場位置情報を受け取る。前記再検索判断手順が前記予約駐車場位置情報と前記目的地位置情報とを基にして駐車場の再検索が必要な否かを判断する。前記解約指示手順が前記予約駐車場の予約を解約することをパーキングサーバに指示する。
その結果、前記目的地位置情報と前記到着予定時刻とを考慮して駐車場を再予約できる。
【００３４】
本発明の実施形態に係る電気通信機器用ソフトウエアは、電気通信機器に、前記検索情報発信手順と前記予約通知受け取り手順とを実行させた後で再検索判断手順を実行させ、実行した該再検索判断手順が再検索が必要と判断すると前記検索情報発信手順と解約指示手順と前記予約通知受け取り手順とを実行させ、前記検索通知受け取り手順がパーキングサーバから複数の駐車場の情報である複数の駐車場情報と最新の前記目的地位置情報とを基にして検索した駐車場である単数または複数の検索駐車場のうちの一つの駐車場である前記予約駐車場を車両の駐車のため予約した旨の通知と共に前記予約駐車場の位置情報である予約駐車場位置情報を受け取り、前記再検索判断手順が最新の前記目的地位置情報を基にして前記予約駐車場位置情報と前記目的地位置情報とが所定の地理的関係をもたないとき駐車場の再検索が必要と判断し、前記解約指示手順が前記予約駐車場の予約を解約することをパーキングサーバに指示する。
上記の実施形態の構成により、電気通信機器に、前記検索情報発信手順と前記予約通知受け取り手順とを実行させた後で再検索判断手順を実行させ、実行した該再検索判断手順が再検索が必要と判断すると前記検索情報発信手順と解約指示手順と前記予約通知受け取り手順とを実行させる。前記検索通知受け取り手順がパーキングサーバから複数の駐車場の情報である複数の駐車場情報と最新の前記目的地位置情報とを基にして検索した駐車場である単数または複数の検索駐車場のうちの一つの駐車場である前記予約駐車場を車両の駐車のため予約した旨の通知と共に前記予約駐車場の位置情報である予約駐車場位置情報を受け取る。前記再検索判断手順が最新の前記目的地位置情報を基にして前記予約駐車場位置情報と前記目的地位置情報とが所定の地理的関係をもたないとき駐車場の再検索が必要と判断する。前記解約指示手順が前記予約駐車場の予約を解約することをパーキングサーバに指示する。
その結果、前記目的地位置情報と前記到着予定時刻とを考慮して駐車場を再予約できる。
【発明の効果】
【００３５】
以上説明したように、本発明に係る駐車場の予約をおこなうパーキングサーバの運用方法は、その構成により、以下の効果を有する。
車両に搭載される電気通信機器から目的地位置情報を受信し、準備・更新する複数の駐車場情報と目的地位置情報とを基にして目的地位置情報に所定の地理的関係をもつ駐車場位置情報を関連づけられる駐車場を検索する様にしたので、車両の目的地に所定の地理的関係にある駐車場を目的地に着く前に検索できる。
また、車両に搭載される電気通信機器から目的地位置情報を受信し、準備・更新する複数の駐車場情報と目的地位置情報とを基にして目的地位置情報に所定の地理的関係をもつ駐車場位置情報を関連づけられる駐車場を車両の駐車のために予約する様にしたので、車両の目的地に所定の地理的関係にある駐車場を目的地に着く前に予約できる。
また、車両に搭載される電気通信機器から目的地位置情報と到着予定時刻とを受信し、準備・更新する複数の駐車場情報と目的地位置情報と到着予定時刻とを基にして目的地位置情報に所定の地理的関係をもつ駐車場位置情報を関連づけられ、且つ到着予定時刻に所定の時間的関係をもつ時刻に駐車可能である駐車場を車両の駐車のために予約する様にしたので、車両の目的地に所定の地理的関係にあり到着予定時刻に所定の時間的関係のある駐車場を目的地に着く前に検索できる。
また、車両情報を基にして車両型式情報を特定し、準備・更新する複数の駐車場情報と目的地位置情報と到着予定時刻と車両型式情報とを基にして目的地位置情報に所定の地理的関係をもつ駐車場位置情報を関連づけられ、且つ到着予定時刻に所定の時間的関係をもつ時刻に駐車可能である駐車場を車両の駐車のために予約する様にしたので、車両の目的地に所定の地理的関係にあり到着予定時刻に所定の時間的関係のあり、且つ前記車両型式情報に対応する車両型式の車両を受入れ可能な駐車場を目的地に着く前に検索できる。
また、車両情報を基にして車両型式情報を特定し、準備・更新する複数の駐車場情報と目的地位置情報と到着予定時刻と車両型式情報とを基にして目的地位置情報に所定の地理的関係をもつ駐車場位置情報を関連づけられ、且つ到着予定時刻に所定の時間的関係をもつ時刻に駐車可能である駐車場を車両の駐車のために予約する様にしたので、車両の目的地に所定の地理的関係にあり到着予定時刻に所定の時間的関係のあり、且つ前記車両型式情報に対応する車両型式の車両を受入れ可能な駐車場を目的地に着く前に検索できる。
また、再度受信された前記目的地位置情報と前記予約駐車場の駐車場位置情報とが所定の地理的関係をもたないとき駐車場の再予約が必要と判断する様にしたので、走行中に目的地が変更になったときも迅速に予約駐車場を変更できる。
また、駐車場を予約した車両に搭載される電気通信機器から再度受信した目的地位置情報と到着予定時刻とを基にして駐車場の再予約が必要と判断すると、予約駐車場の予約を解約して、再度受信した目的地位置情報と到着予定時刻を基にして検索した駐車場を車両の駐車のために予約する様にしたので、走行中に目的地が変更になった、または目的地到着時刻が大きく変化したときも迅速に予約駐車場を変更できる。
また、再度受信された前記目的地位置情報と前記予約駐車場に関連づけられる駐車場位置情報とが所定の地理的関係をもたない、または再度受信された前記到着予定時刻と前記駐車予約時刻とが所定の時間的関係をもたないとき駐車場の再予約が必要と判断する様にしたので、走行中に目的地が変更になった、または目的地到着時刻が大きく変化したときも迅速に予約駐車場を変更できる。
また、前記予約駐車場を車両の駐車のために予約した旨の通知と共に前記予約駐車場の位置情報である駐車場位置情報を送信する様にしたので、前記電気通信機器は予約駐車場の位置を知ることができる。
また、前記検索駐車場の位置情報である駐車場位置情報を送信する様にしたので、前記電気通信機器は検索駐車場の位置を知ることができる。
また、駐車場を予約した車両に搭載される電気通信機器から再度受信した到着予定時刻とを基にして駐車場の再予約が必要と判断すると、予約駐車場の予約を解約して、再度受信した到着予定時刻を基にして検索した駐車場を車両の駐車のために予約する様にしたので、目的地到着時刻が変化したときも迅速に予約駐車場を変更できる。
また、再度受信された前記到着予定時刻と前記駐車予約時刻とが所定の時間的関係をもたないとき駐車場の再予約が必要と判断する様にしたので、目的地到着時刻が大きく変化したときも迅速に予約駐車場を変更できる。
また、複数の駐車場から前記故障中／点検中情報が故障中または点検中であることを示す駐車場を除外して複数の検索駐車場を検索する様にしたので、故障中または点検中の駐車場を検索駐車場の対象から外すことができる。
また、複数の前記検索駐車場のうちの前記混雑度情報が示す前記混雑度が最も低い一つの駐車場である前記予約駐車場を車両の駐車のために予約する様にしたので、検索した複数の駐車場のうちから混雑度の低い駐車場を予約できる。
また、駐車場の入出庫口での単位時間当たりの入庫回数、出庫回数、両者の合計回数のうちのどれか一つの回数が大小に応じて前記混雑度が高低する様にしたので、検索した複数の駐車場のうちから入出庫の頻度の低い駐車場を予約できる。
【００３６】
以上説明したように、本発明に係る目的地に向かって走行する車両に搭載され駐車場の予約をおこなうパーキングサーバと通信可能な電気通信機器用ソフトウエアは、その構成により、以下の効果を有する。
電気通信機器が、パーキングサーバへ目的地の位置情報である目的地位置情報を発信し、パーキングサーバから複数の駐車場情報と前記目的地位置情報を基にして検索し予約した予約駐車場を車両の駐車のため予約した旨の通知を受けとる様にしたので、目的地位置情報を考慮して検索した駐車場を予約できる。
また、電気通信機器が、パーキングサーバへ目的地の位置情報である目的地位置情報と到着予定時刻とを発信し、パーキングサーバから複数の駐車場情報と前記目的地位置情報と前記到着予定時刻とを基にして検索し予約た予約駐車場を車両の駐車のため予約した旨の通知を受けとる様にしたので、目的地位置情報と到着予定時刻とを考慮して検索した駐車場を予約できる。
また、パーキングサーバから駐車予約時刻を受け取り、前記駐車予約時刻と前記到着予定時刻とを基にして駐車場の再予約が必要な否かを判断し、必要と判断すると予約駐車場の予約を解約し、パーキングサーバに目的地位置情報を発進し、パーキングサーバから複数の駐車場情報と前記目的地位置情報を基にして検索し予約た予約駐車場を車両の駐車のため予約した旨の通知を受けとる様にしたので、前記到着予定時刻を考慮して検索した駐車場を再予約できる。
また、前記到着予定時刻と前記駐車予約時刻とが所定の時間的関係をもたないとき駐車場の再予約が必要と判断する様にしたので、到着予定時刻を考量して駐車場を再予約できる。
また、パーキングサーバから予約駐車場を予約した旨の通知と共に駐車場位置情報と駐車場での駐車予約時刻とを受け取り、前記駐車場位置情報と前記目的地位置情報とが所定の地理的関係をもたないとき、または前記到着予定時刻と前記駐車予約時刻とが所定の時間的関係をもたないとき駐車場の再予約が必要と判断する様にしたので、前記目的地位置情報と前記到着予定時刻とを考慮して駐車場を再予約できる。
また、車両の移動経路の変更が頻発したとき寄り道もしくは目的地が変更されたと判断し、寄り道もしくは目的地が変更されたと判断したときに前記解約指示手順と前記予約情報発信手順と前記予約通知受け取り手順とを実行する様にしたので、移動経路の変更が頻発したとき駐車場を再予約できる。
また、車両が前記予約駐車場に到着したときにドライバの操作によりパーキングサーバに前記予約駐車場へ駐車の予約の認証である予約認証を求める様にしたので、パーキングサーバが予約駐車場へ予約を認証して車両を予約駐車場に駐車できる。
また、パーキングサーバから前記予約駐車場を車両の駐車のため予約した旨の通知と共に予約した前記予約駐車場の駐車場位置情報を受信し、駐車場位置情報までの経路をナビゲーションする様にしたので、予約駐車場へ迅速に到着できる。
また、パーキングサーバから予約駐車場を予約した旨の通知と共に駐車場位置情報を受け取り、前記駐車場位置情報と前記目的地位置情報とが所定の地理的関係をもたないとき、駐車場の再予約が必要と判断する様にしたので、前記目的地位置情報と前記到着予定時刻とを考慮して駐車場を再予約できる。
また、パーキングサーバから予約駐車場を予約した旨の通知と共に駐車場位置情報を受け取り、前記駐車場位置情報と前記目的地位置情報とが所定の地理的関係をもたないとき、駐車場の再予約が必要と判断する様にしたので、前記目的地位置情報と前記到着予定時刻とを考慮して駐車場を再予約できる。
従って、駐車場の予約をおこなうパーキングサーバの運用方法とそのパーキングサーバと通信可能な電気通信機器用ソフトウエアを提供できる。
【図面の簡単な説明】
【００３７】
【図１】本発明の実施形態に係る駐車場検索システムのシステム概念図である。
【図２】本発明の第一の実施形態に係る駐車場検索システムのフロー図である。
【図３】本発明の第二の実施形態に係る駐車場検索システムのフロー図である。
【発明を実施するための形態】
【００３８】
以下、本発明を実施するための形態を、図面を参照して説明する。
【００３９】
本発明の実施形態にかかる駐車場検索システムを、図を基に、説明する。
図１は、本発明の実施形態に係る駐車場検索システムのシステム概念図である。
【００４０】
本発明の実施形態にかかる駐車場検索システムは、目的地に向かって走行する車両に対応して駐車場の検索をおこなう駐車場検索システムである。
【００４１】
駐車場検索システムは、車両５０と電気通信機器６０とパーキングサーバ７０と複数の駐車場８０とで構成される。
車両５０は、目的地４０に向かって走行する。
電気通信機器６０は、パーキングサーバ７０と通信可能である。
電気通信機器６０は、車両に搭載されてもよい。
電気通信機器６０は、ＣＰＵとメモリと各種インターフェースにより構成され、インストールされたソフトウエアにより各手順を実現する。
例えば、電気通信機器６０は、携帯電話、車ナビゲーション、等である。
パーキングサーバ７０は、電気通信機器６０の協業して目的地４０に向かって走行する車両に対応して駐車場の検索をおこなう。
パーキングサーバ７０は、複数の駐車場と通信してもよい。
パーキングサーバ７０は、電気通信網を介して複数の駐車場と通信してもよい。
パーキングサーバ７０は、複数の駐車場の情報である複数の駐車場情報を準備・更新できる。
パーキングサーバ７０は、ＣＰＵとメモリと各種インターフェースにより構成され、インストールされたソフトウエアにより各種の手順を実現する。
駐車場８０は、車両５０を駐車させる場所である。
駐車場８０は、複数の車両５０を駐車させてもよい。
駐車場８０は、自走式駐車場であってもよい。
駐車場８０は、機械式駐車装置であってもよい。
駐車場８０は、予約機能を有していてもよい。
以降では、車両５０は、駐車場検索システムを利用しようとする特定の車両であるとして説明する、
【００４２】
以下に、本発明の第一の実施形態にかかる駐車場検索システムにおける電気通信機器用ソフトウエアとパーキングサーバ７０とを、図を基に説明する。
図２は、本発明の第一の実施形態に係る駐車場検索システムのフロー図である。
図２は、本発明の第一の実施形態にかかる駐車場検索システムにおける電気通信機器用ソフトウエアとパーキングサーバの運用方法とを示す。
【００４３】
最初に、本発明の第一の実施形態にかかる駐車場検索システムにおける電気通信機器用ソフトウエアとサーキングサーバの運用方法を説明する。
本発明の第一の実施形態にかかる駐車場検索システムでは、車両に搭載された電気通信機器が後述する再検索判断を行う。
【００４４】
最初に電気通信機器用ソフトウエアを説明する。
第一の実施形態に係る駐車場検索システムにおける電気通信機器用ソフトウエアは、電気通信機器６０に、各種の手順を実現させる。
第一の実施形態に係る駐車場検索システムにおける電気通信機器用ソフトウエアは、電気通信機器６０に、検索設定手順Ｓ２１を実現させてもよい。
第一の実施形態に係る駐車場検索システムにおける電気通信機器用ソフトウエアは、電気通信機器６０に、検索情報発信手順Ｓ２２と予約通知受け取り手順Ｓ２３とを実現させてもよい。
第一の実施形態に係る駐車場検索システムにおける電気通信機器用ソフトウエアは、電気通信機器６０に、検索情報発信手順Ｓ２２と検索通知受け取り手順Ｓ２３ａとを実現させてもよい。
第一の実施形態に係る駐車場検索システムにおける電気通信機器用ソフトウエアは、電気通信機器６０に、検索設定手順Ｓ２１と検索情報発信手順Ｓ２２と予約通知受け取り手順Ｓ２３とを実現させてもよい。
第一の実施形態に係る駐車場検索システムにおける電気通信機器用ソフトウエアは、電気通信機器６０に、検索情報発信手順Ｓ２２と予約通知受け取り手順Ｓ２３と再検索判断手順Ｓ２４とを実現させてもよい。
第一の実施形態に係る駐車場検索システムにおける電気通信機器用ソフトウエアは、電気通信機器６０に、検索情報発信手順Ｓ２２と予約通知受け取り手順Ｓ２３と解約指示手順Ｓ２５とを実現させてもよい。
第一の実施形態に係る駐車場検索システムにおける電気通信機器用ソフトウエアは、電気通信機器６０に、検索情報発信手順Ｓ２２と予約通知受け取り手順Ｓ２３と運転状況取得手順Ｓ２７と経路変更検知手順Ｓ２６とを実現させてもよい。
第一の実施形態に係る駐車場検索システムにおける電気通信機器用ソフトウエアは、電気通信機器６０に、検索情報発信手順Ｓ２２と予約通知受け取り手順Ｓ２３と予約認証要求手順Ｓ２８とを実現させてもよい。
第一の実施形態に係る駐車場検索システムにおける電気通信機器用ソフトウエアは、電気通信機器６０に、検索情報発信手順Ｓ２２と予約通知受け取り手順Ｓ２３と経路ナビ手順（図示せず）とを実現させてもよい。
第一の実施形態に係る駐車場検索システムにおける電気通信機器用ソフトウエアは、電気通信機器６０に、検索情報発信手順Ｓ２２と予約通知受け取り手順Ｓ２３と経路変更検知手順Ｓ２６とを実行させてもよい。
第一の実施形態に係る駐車場検索システムにおける電気通信機器用ソフトウエアは、電気通信機器６０に、検索設定手順Ｓ２１と検索情報発信手順Ｓ２２と予約通知受け取り手順Ｓ２３と検索通知受け取り手順Ｓ２３ａと再検索判断手順Ｓ２４と解約指示手順Ｓ２５と経路変更検知手順Ｓ２６と運転状況取得手順Ｓ２７と予約認証要求手順Ｓ２８と経路ナビ手順（図示せず）とを実現させてもよい。
【００４５】
検索設定手順Ｓ２１は、駐車場を予約するために必要な情報を設定する手順である。
予約に必要な情報は、顧客により設定される。
予約に必要な情報は、顧客ＩＤ、電気通信機器のＧＰＳ機能ＯＮ、自動予約許可、駐車場検索条件（料金／目的地距離優先など）、車両情報、車番登録、目的地４０、到着時刻、駐車時間、等である。
顧客ＩＤは、顧客を特定するＩＤであり、車両情報と紐付けされる。
電気通信機器のＧＰＳ機能ＯＮは、電気通信機器のＧＰＳ機能を有効にするか、無効にするかの選択である。
自動予約許可は、駐車場を自動的に予約するか否かを設定される。
自動予約許可が「駐車場を自動的に予約する」と設定されていると、駐車場予約システムは、顧客の要件を満足する駐車場を検索するとその駐車場を自動的に予約する。
自動予約許可が「駐車場を自動的に予約する」と設定されていないと、駐車場予約システムは、顧客の要件を満足する駐車場を検索するとその駐車場を顧客に連絡し、顧客からの予約指令を待つ。
駐車場検索条件は、料金と目的地距離とのうちの何方を優先するか、等を設定される。
車両情報は、車両５０を特定するための情報である。車両情報により車両５０の大きさ、重さを特定できる。
車番登録は、いわゆる車ナンバーである。
目的地情報は、目的地４０を特定できる情報である。
例えば、目的地情報は、目的地４０の位置情報である。
到着時刻は、車両５０が目的地４０に到着する時刻を特定できる情報である。
例えば、到着時刻は、目的地４０に到着すると予定される時刻である到着予定時刻である。
駐車時間は、車両５０の駐車時間を特定する情報である。
【００４６】
検索情報発信手順Ｓ２２は、パーキングサーバ７０へ検索に必要な情報を発信する手順である。
検索情報発信手順Ｓ２２は、パーキングサーバ７０へ目的地位置情報を発信してもよい。
検索情報発信手順Ｓ２２は、パーキングサーバ７０へ目的地位置情報と到着予定時刻とを発信してもよい。
検索情報発信手順Ｓ２２は、パーキングサーバ７０へ目的地位置情報と到着予定時刻と駐車時間とを発信してもよい。
検索情報発信手順Ｓ２２は、パーキングサーバ７０へ目的地位置情報と到着予定時刻と車両情報とを発信してもよい。
検索情報発信手順Ｓ２２は、パーキングサーバ７０へ目的地位置情報と到着予定時刻と車両型式情報とを発信してもよい。
目的地位置情報は、目的地４０の位置情報である。
到着予定時刻は、目的地４０に到着する予定時刻である。
例えば、到着予定時刻は、顧客が設定した到着時刻である。
例えば、到着予定時刻は、ナビシステムが予想した到着時刻である。
車両情報は、車両５０の情報である。
例えば、車両情報は、車両５０のナンバーである。
例えば、車両情報は、車両５０の全長、重量である。
例えば、車両情報は、車両型式番号である。
車両型式情報は、車両５０の型式を特定できる情報である。
例えば、車両型式情報は、は、車両型式番号である。
【００４７】
予約通知受け取り手順Ｓ２３は、パーキングサーバ７０から予約駐車場を車両５０の駐車のため予約した旨の通知を受けとる手順である。
予約通知受け取り手順が、パーキングサーバ７０から予約駐車場を車両５０の駐車のため予約した旨の通知と共に駐車予約時刻を受け取ってもよい。
予約通知受け取り手順Ｓ２３がパーキングサーバ７０から予約駐車場を車両５０の駐車のため予約した旨の通知と共に予約駐車場位置情報と駐車予約時刻とを受け取ってもよい。
予約駐車場は、複数の駐車場の情報である複数の駐車場情報と最新の目的地位置情報とを基にして検索した駐車場である単数または複数の検索駐車場のうちの車両５０のために予約された一つの駐車場である。
予約駐車場は、複数の駐車場の情報である複数の駐車場情報と最新の目的地位置情報と到着予定時刻とを基にして検索した駐車場である単数または複数の検索駐車場のうちの車両５０のために予約された一つの駐車場であってもよい。
予約駐車場は、複数の駐車場の情報である複数の駐車場情報と最新の目的地位置情報と到着予定時刻と車両型式番号とを基にして検索した駐車場である単数または複数の検索駐車場のうちの車両５０のために予約された一つの駐車場であってもよい。
予約駐車場位置情報は、予約駐車場の位置情報である。
駐車予約時刻は、予約駐車場での予約した駐車時刻である。
車両型式番号は、車両５０の型式番号である。
【００４８】
検索通知受け取り手順Ｓ２３ａは、単数又は複数の検索駐車場位置情報を受け取る手順である。
単数または複数の検索駐車場位置情報は、単数または複数の検索駐車場の位置情報である。
単数または複数の検索駐車場は、複数の駐車場の情報である複数の駐車場情報と最新の目的地位置情報とを基にして検索された駐車場である。
単数または複数の検索駐車場は、後述するパーキングサーバが複数の駐車場の情報である複数の駐車場情報と最新の目的地位置情報とを基にして検索した駐車場である。
【００４９】
再検索判断手順Ｓ２４は、駐車場の再検索が必要な否かを判断する手順である。
再検索判断手順Ｓ２４が、最新の到着予定時刻と駐車予約時刻とを基にして、駐車場の再検索が必要な否かを判断してもよい。
再検索判断手順Ｓ２４が、最新の到着予定時刻を基にして、到着予定時刻と駐車予約時刻とが所定の時間的関係をもたないとき駐車場の再検索が必要と判断してもよい。また、再検索判断手順Ｓ２４が、到着予定時刻と駐車予約時刻とが所定の時間的関係をもつとき駐車場の再検索が必要と判断しないとしてもよい。
再検索判断手順Ｓ２４が、最新の目的地位置情報と最新の到着予定時刻とを基にして、目的地位置情報と予約駐車場位置情報とが所定の地理的関係をもたないとき、または到着予定時刻と駐車予約時刻とが所定の時間的関係をもたないとき駐車場の再検索が必要と判断してもよい。また、再検索判断手順Ｓ２４が、目的地位置情報と予約駐車場位置情報とが所定の地理的関係をもつとき、且つ到着予定時刻と駐車予約時刻とが所定の時間的関係をもつとき駐車場の再検索が必要と判断しないとしてもよい。
再検索判断手順Ｓ２４が、予約駐車場位置情報と最新の目的地位置情報とを基にして、駐車場の再検索が必要な否かを判断してもよい。
再検索判断手順Ｓ２４が、最新の目的地位置情報を基にして、予約駐車場位置情報と目的地位置情報とが所定の地理的関係をもたないとき駐車場の再検索が必要と判断してもよい。また、再検索判断手順Ｓ２４が、予約駐車場位置情報と目的地位置情報とが所定の地理的関係をもつとき駐車場の再検索が必要と判断しないとしてもよい。
【００５０】
解約指示手順Ｓ２５は、予約駐車場の予約を解約することをパーキングサーバに指示する手順である。
パーキングサーバ７０は、解約指示手順Ｓ２５による指示を受けとると、予約駐車場の予約を解約する。
【００５１】
経路変更検知手順Ｓ２６は、車両５０の移動経路の変更が頻発したとき寄り道もしくは目的地４０が変更されたと判断する手順である。
経路変更検知手順Ｓ２６が、車両５０の移動経路の変更の回数をカウントして回数が所定の数を超えると寄り道もしくは目的地４０が変更されたと判断してもよい。
経路変更検知手順Ｓ２６が、車両５０の移動経路の変更の回数をカウントして回数が所定の数を超えると寄り道もしくは目的地４０が変更されたと判断してもよい。
【００５２】
運転状況取得手順Ｓ２７は、車両５０の運転状況を取得する手順である。
例えば、運転状況取得工程Ｓ２７は、経路をナビするシステムから車両５０の経路変更の経過を取得する。
例えば、運転状況取得工程Ｓ２７は、ドライバの操作により車両５０が予約駐車場に到着したことを取得する。
【００５３】
予約認証要求手順Ｓ２８は、パーキングサーバ７０に予約駐車場へ駐車の予約の認証である予約認証を求める手順である。
パーキングサーバ７０は、予約認証要求手順Ｓ２８により予約認証を受けとると、予約駐車場へ予約承認を求められたことを通知する。
【００５４】
経路ナビ手順（図示せず）は、目的地４０を駐車場位置情報に対応する駐車場所位置に置き換えて目的地４０までの経路をナビゲーションする手順である。
例えば、電気通信機器６０に内蔵される機能が、経路をナビゲーションする。
例えば、電気通信機器６０と通信するナビ機能が、経路をナビゲーションする。
【００５５】
以下に、第一の実施形態に係る駐車場検索システムにおける電気通信機器用ソフトウエアが、電気通信機器に各種の手順を実行させる手続きを説明する。
【００５６】
第一の実施形態に係る駐車場検索システムにおける電気通信機器用ソフトウエアは、電気通信機器６０に、検索設定手順Ｓ２１を実行させる。
【００５７】
第一の実施形態に係る駐車場検索システムにおける電気通信機器用ソフトウエアは、電気通信機器６０に、検索情報発信手順Ｓ２２と予約通知受け取り手順Ｓ２３とを実行させる。
検索情報発信手順Ｓ２２を実行した後で予約通知受け取り手順Ｓ２３を実行させてもよい。
【００５８】
第一の実施形態に係る駐車場検索システムにおける電気通信機器用ソフトウエアは、電気通信機器６０に、検索設定手順Ｓ２１と検索情報発信手順Ｓ２２と予約通知受け取り手順Ｓ２３とを実行させる。
検索設定手順Ｓ２１を実行させた後で検索情報発信手順Ｓ２２を実行し、検索情報発信手順Ｓ２２を実行した後で予約通知受け取り手順Ｓ２３を実行させてもよい。
【００５９】
第一の実施形態に係る駐車場検索システムにおける電気通信機器用ソフトウエアは、電気通信機器６０に、検索情報発信手順Ｓ２２と予約通知受け取り手順Ｓ２３と再検索判断手順Ｓ２４と解約指示手順Ｓ２５とを実行させてもよい。
検索情報発信手順Ｓ２２を実行させた後で予約通知受け取り手順Ｓ２３とを実行させ、予約通知受け取り手順Ｓ２３とを実行させた後で再検索判断手順Ｓ２４を実行させ、実行した再検索判断手順Ｓ２４が再検索が必要と判断すると解約指示手順Ｓ２５と検索情報発信手順Ｓ２２と予約通知受け取り手順Ｓ２３とを実行させてもよい。
検索情報発信手順Ｓ２２を実行させ、検索情報発信手順Ｓ２２を実行させた後で予約通知受け取り手順Ｓ２３とを実行させ、予約通知受け取り手順Ｓ２３を実行させた後で再検索判断手順Ｓ２４を実行させ、実行した再検索判断手順Ｓ２４が再検索が必要と判断すると解約指示手順Ｓ２５と検索情報発信手順Ｓ２２と予約通知受け取り手順Ｓ２３とを実行させてもよい。
検索情報発信手順Ｓ２２を実行させ、検索情報発信手順Ｓ２２を実行させた後で予約通知受け取り手順Ｓ２３とを実行させ、予約通知受け取り手順Ｓ２３を実行させた後で再検索判断手順Ｓ２４を実行させ、実行した再検索判断手順Ｓ２４が再検索が必要と判断すると解約指示手順Ｓ２５を実行させ、解約指示手順Ｓ２５を実行させた後で検索情報発信手順Ｓ２２を実行させ、検索情報発信手順Ｓ２２を実行させた後で予約通知受け取り手順Ｓ２３とを実行させてもよい。
【００６０】
第一の実施形態にかかる駐車場検索システムにおける電気通信機器用ソフトウエアは、電気通信機器６０に、経路変更検知手順Ｓ２６と解約指示手順Ｓ２５と検索情報発信手順Ｓ２２と予約通知受け取り手順Ｓ２３とを実行させてもよい。
経路変更検知手順Ｓ２６を実行させ、実行した経路変更検知手順Ｓ２６が寄り道もしくは目的地４０が変更されたと判断したときに解約指示手順Ｓ２５と予約通知受け取り手順Ｓ２３とを実行させてもよい。
経路変更検知手順Ｓ２６を実行させ、実行した経路変更検知手順Ｓ２６が寄り道もしくは目的地４０が変更されたと判断したときに解約指示手順Ｓ２５を実行させ、解約指示手順Ｓ２５を実行させた後で検索情報発信手順Ｓ２２を実行させ、検索情報発信手順Ｓ２２を実行させた後で、予約通知受け取り手順Ｓ２３とを実行させてもよい。
【００６１】
第一の実施形態にかかる駐車場検索システムにおける電気通信機器用ソフトウエアは、電気通信機器６０に、予約認証要求手順Ｓ２８を実行させてもよい。
車両５０が予約駐車場に到着したときにドライバの操作により電気通信機器に予約認証要求手順を実行させる。
【００６２】
第一の実施形態にかかる駐車場検索システムにおける電気通信機器用ソフトウエアは、電気通信機器６０に、予約通知受け取り手順Ｓ２３と経路ナビ手順（図示せす）を実行させてもよい。
予約通知受け取り手順Ｓ２３を実行した後で経路ナビ手順（図示せす）を実行させてもよい。
【００６３】
次に、本発明の第一の実施形態にかかる駐車場検索システムにおけるパーキングサーバの運用方法を説明する。
【００６４】
本発明の第一の実施形態にかかる駐車場検索システムにおけるパーキングサーバの運用方法は、準備・更新工程Ｓ１１と検索情報受信工程Ｓ１２と検索工程Ｓ１３とで構成されてもよい。
本発明の第一の実施形態にかかる駐車場検索システムにおけるパーキングサーバの運用方法は、準備・更新工程Ｓ１１と検索情報受信工程Ｓ１２と検索工程Ｓ１３と予約工程！４とで構成されてもよい。
本発明の第一の実施形態にかかる駐車場検索システムにおけるパーキングサーバの運用方法は、準備・更新工程Ｓ１１と検索情報受信工程Ｓ１２と検索工程Ｓ１３と型式特定工程１５とで構成されてもよい。
本発明の第一の実施形態にかかる駐車場検索システムにおけるパーキングサーバの運用方法は、準備・更新工程Ｓ１１と検索情報受信工程Ｓ１２と検索工程Ｓ１３と解約工程１７とで構成されてもよい。
本発明の第一の実施形態にかかる駐車場検索システムにおけるパーキングサーバの運用方法は、準備・更新工程Ｓ１１と検索情報受信工程Ｓ１２と検索工程Ｓ１３と予約認証工程１８とで構成されてもよい。
本発明の第一の実施形態にかかる駐車場検索システムにおけるパーキングサーバの運用方法は、準備・更新工程Ｓ１１と検索情報受信工程Ｓ１２と検索工程Ｓ１３と予約工程！４と型式特定工程１５と解約工程１７と予約認証工程１８とで構成されてもよい。
【００６５】
準備・更新工程Ｓ１１は、複数の駐車場の情報である複数の駐車場情報を準備・更新する工程である。
駐車場情報は、入庫可能車種別空き情報、位置情報、料金情報、予約機能、その他である。
駐車場情報は、入庫可能車種別空き情報、位置情報、料金情報、予約機能、故障中／点検中情報、混雑度情報、その他である。
入庫可能車種別空き情報は、駐車場の入庫可能な駐車空間の車種別の有無に関する情報である。
入庫可能車種別空き情報は、駐車場の入庫可能な駐車空間の車種別の時刻毎の有無に関する情報であってもよい。
位置情報は、駐車場の位置情報である。位置情報はＧＰＳデータであってもよい。
位置情報は、駐車場の位置情報である。位置情報はＧＰＳによる緯度／経度データであってもよい。
料金情報は、駐車料金に関する情報である。
料金情報は、駐車料金を算定するのに必要な情報であってもよい。
予約機能は、駐車場の予約機能に関する情報である。
故障中／点検中情報は、駐車場が故障中または点検中であるか否かを示す情報である。
複数の駐車場は、故障中または点検中であるときに、故障中または点検中であることを示す故障中／点検中情報をパーキングサーバへ各々に送る。
複数の駐車場は、故障中及び点検中が終了したときに、故障中と点検中でないことを示す故障中／点検中情報をパーキングサーバへ各々に送る。
混雑度情報は、駐車場へ到着してからの入出庫しにくさの度合いである混雑度を示す情報である。
複数の駐車場は、混雑度情報をパーキングサーバへ各々に繰り返して送る。
駐車場の入出庫口での単位時間当たりの入庫回数、出庫回数、両者の合計回数のうちのどれか一つの回数が多いときに前記混雑度が高く、駐車場の入出庫口での単位時間当たりの入庫回数、出庫回数、両者の合計回数のうちのどれか一つの回数が少ないときに前記混雑度が低いとしてもよい。
例えば、駐車場の入出庫口での単位時間当たりの入庫回数が多いときに前記混雑度が高く、駐車場の入出庫口での単位時間当たりの入庫回数が少ないときに前記混雑度が低い。
例へば、駐車場の入出庫口での単位時間当たりの出庫回数が多いときに前記混雑度が高く、駐車場の入出庫口での単位時間当たりの出庫回数が少ないときに前記混雑度が低い。
例えば、駐車場の入出庫口での単位時間当たりの入庫回数と出庫回数の合計回数が多いときに前記混雑度が高く、駐車場の入出庫口での単位時間当たりの入庫回数と出庫回数の合計回数が少ないときに前記混雑度が低い。
【００６６】
検索情報受信工程Ｓ１２は、目的地４０に向かって走行する車両５０に搭載される電気通信機器から、目的地位置情報を受信する工程である。
検索情報受信工程Ｓ１２が、目的地４０に向かって走行する車両５０に搭載される電気通信機器から、目的地位置情報と到着予定時刻とを受信してもよい。
検索情報受信工程Ｓ１２が、目的地位置情報と到着予定時刻と車両情報とを受信してもよい。
目的地位置情報は、目的地４０の位置情報である。
到着予定時刻は、目的地４０に到着する予定時刻である。
車両情報は、車両５０の情報である。
【００６７】
検索工程Ｓ１３は、複数の駐車場情報と最新の目的地位置情報とを基にして複数の駐車場から単数又は複数の検索駐車場を検索する工程である。
検索工程ｓ１３が、複数の駐車場情報と最新の目的地位置情報と最新の到着予定時刻とを基にして複数の駐車場から単数または複数の検索駐車場を検索してもよい。
検索工程Ｓ１３がｍ複数の駐車場情報と最新の目的地位置情報と最新の到着予定時刻と車両型式情報とを基にして複数の駐車場の中から単数又は複数の検索駐車場を検索してもよい。
単数又は複数の検索駐車場は、目的地位置情報に所定の地理的関係をもつ駐車場位置情報を関連づけられる駐車場である。
単数または複数の検索駐車場は、目的地位置情報に所定の地理的関係をもつ駐車場位置情報を関連づけられ、且つ到着予定時刻に所定の時間的関係をもつ時刻に駐車可能である駐車場であってもよい。
単数又は複数の検索駐車場は、目的地位置情報に所定の地理的関係をもつ駐車場位置情報を関連づけられ、且つ到着予定時刻に所定の時間的関係をもつ時刻に駐車可能であり、且つ車両型式情報に対応する車両型式の車両５０を受入れ可能な駐車場であってもよい。
地理的関係とは、目的地位置情報に基づき位置と駐車場位置情報に基づく位置の距離であってもよい。
所定の時間的関係をもつ時刻とは、到着予定時刻に遅延する等による誤差を考慮した時刻であってもよい。
【００６８】
検索工程Ｓ１３が、最新の前記駐車場情報を基にして、複数の駐車場から故障中／点検中情報が故障中または点検中であることを示す駐車場を除外して複数の検索駐車場を検索してもよい。
【００６９】
検索工程Ｓ１３が、車両５０の電気通信機器に検索駐車場を車両５０の駐車のために検索した旨の通知を送信してもよい。
検索工程Ｓ１３が、単数又は複数の検索駐車場位置情報を送信してもよい。
検索工程Ｓ１３が、車両５０の電気通信機器に検索駐車場を車両５０の駐車のために検索した旨の通知と共に単数又は複数の検索駐車場位置情報を送信してもよい。
検索工程Ｓ１３が、車両５０の電気通信機器に検索駐車場を車両５０の駐車のために検索した旨の通知と共に単数又は複数の検索駐車場位置情報を送信してもよい。
単数又は複数の検索駐車場位置情報は、単数または複数の検索駐車場の位置情報である。
【００７０】
予約工程Ｓ１４は、単数又は複数の検索駐車場のうちの一つの駐車場である予約駐車場を車両５０の駐車のために予約する工程である。
予約工程Ｓ１４は、単数又は複数の検索駐車場のうちの一つの駐車場である予約駐車場を車両５０の駐車のために予約し、車両５０に搭載された電気通信機器７０に予約駐車場を車両５０の駐車のために予約した旨の通知を送信してもよい。
予約工程Ｓ１４が、車両５０の電気通信機器に予約駐車場を車両５０の駐車のために予約した旨の通知と共に予約駐車場の位置情報である予約駐車場位置情報を送信してもよい。
予約工程Ｓ１４が、予約駐車場の位置情報である予約駐車場位置情報を送信してもよい。
予約駐車場は、単数又は複数の検索駐車場のうちの車両５０の駐車のために予約する一つの駐車場である。
予約駐車場は、複数の検索駐車場のうちの予め設定された優先順位に基づき車両５０の駐車のために予約する一つの駐車場であってもよい。
例えば、優先順位は、駐車料金の安さ、目的地までの近さ、等である。
上述した検索工程Ｓ１３がただ一つの検索駐車場を検索したばあい、その一つの検索駐車場が予約駐車場に相当する。
【００７１】
予約工程Ｓ１４が、最新の駐車場情報を基にして、複数の検索駐車場のうちの混雑度情報が示す前記混雑度が最も低い一つの駐車場である予約駐車場を車両の駐車のために予約してもよい。
検索工程Ｓ１３が複数の検索駐車場を検索したときに、予約工程Ｓ１４が、最新の駐車場情報を基にして、複数の検索駐車場のうちの混雑度情報が示す混雑度が最も低い一つの駐車場である予約駐車場を車両の駐車のために予約してもよい。
【００７２】
型式特定工程Ｓ１５は、車両５０の型式の情報である車両型式情報を特定する工程である。
型式特定工程Ｓ１５が、車両情報を基にして車両５０の型式の情報である車両型式情報を特定してもよい。
型式特定工程Ｓ１５が、外部データベースに問い合わせ車両情報に紐つけられる車両型式情報を取得し、取得した車両型式情報を車両５０の車両型式情報として特定してもよい。
車両型式情報は、車両５０の型式の情報である。
例えば、車両型式情報は、車両５０ナンバーに紐つけられる車両５０の型式である。
型式は、公的機関の行う型式認定業務により認定された型式である。
【００７３】
解約工程Ｓ１７は、予約駐車場の予約を解約する工程である。
解約工程Ｓ１７は、予約駐車場の予約を解約する。
解約工程Ｓ１７は、予約駐車場の予約を解約し、予約駐車場を解約した旨を車両５０に搭載される電気通信機器６０へ送信してもよい。
【００７４】
予約認証工程Ｓ１８は、車両５０に搭載される電気通信機器から予約認証を受けとると、予約駐車場へ予約承認を求められたことを通知する。
予約駐車場は、パーキングサーバ７から予約承認を求められたことを通知されると、予約の承認作業を行う。
予約駐車場が予約を承認すると、車両５０が予約駐車場に入庫できる。
【００７５】
以下に第一の実施形態に係る駐車場検索システムにおけるパーキングサーバの運用方法において、各種の工程を実施する手続きを説明する。
【００７６】
本発明の第一の実施形態にかかる駐車場検索システムにおけるパーキングサーバの運用方法は、車両５０に対応して、検索情報主受信工程Ｓ１２と検索工程Ｓ１３とを実施する。
車両５０に対応して、検索情報主受信工程Ｓ１２を実施し、検索情報主受信工程Ｓ１２を実施した後で検索工程Ｓ１３を実施する。
【００７７】
本発明の第一の実施形態にかかる駐車場検索システムにおけるパーキングサーバの運用方法は、車両５０に対応して、検索情報受信工程Ｓ１２と検索工程Ｓ１３と予約工程Ｓ１３とを実施する。
車両５０に対応して、検索情報主受信工程Ｓ１２を実施し、検索情報主受信工程Ｓ１２を実施した後で検索工程Ｓ１３を実施する。
【００７８】
本発明の第一の実施形態にかかる駐車場検索システムにおけるパーキングサーバの運用方法は、車両５０に対応して、検索情報受信工程Ｓ１２と型式特定工程Ｓ１５と検索工程Ｓ１３と予約工程Ｓ１４とを実施してもよい。
車両５０に対応して、検索情報受信工程Ｓ１２を実施し、検索情報受信工程Ｓ１２を実施した後で型式特定工程Ｓ１５を実施し、型式特定工程Ｓ１５を実施した後で検索工程Ｓ１３を実施し、検索工程Ｓ１３を実施した後で予約工程Ｓ１４を実施してもよい。
【００７９】
本発明の第一の実施形態にかかる駐車場検索システムにおけるパーキングサーバの運用方法は、車両５０に対応して、解約工程１７を実施してもよい。
車両５０に搭載される電気通信機器から予約駐車場の予約を解約する指示を受けると、解約工程１７を実施してもよい。
【００８０】
以下に、本発明の第一の実施形態にかかる駐車場検索システムの作用を説明する。
【００８１】
パーキングサーバが、準備・更新工程を繰り返し実施する。
その結果、駐車場情報が駐車場毎に準備される。
また、駐車場情報が駐車場毎に最新の状態に維持される。
車両５０の運転手が、車両５０に搭載された電気通信機器に対して駐車場を予約するために必要な情報を入力する。
電気通信機器６０が、パーキングサーバ７０へ駐車場を予約するために必要な情報を発信する。
パーキングサーバ７０が、駐車場を予約するために必要な情報を基にして、複数の駐車場から一つまたは複数の駐車場である一つまたは複数の検索駐車場を検索する。
パーキングサーバ７０が、一つまたは複数の検索駐車場を検索した旨と検索駐車場の位置情報を電気通信機器６０へ送る。
電気通信機器６０が、一つまたは複数の検索駐車場をナビゲーションシステムのマップ上に表示する。
パーキングサーバ７０が、駐車場を予約するために必要な情報を基にして、一つまたは複数の駐車場である一つまたは複数の検索駐車場のうちの一つの駐車場を車両５０の駐車のために予約する。
パーキングサーバ７０が、電気通信機器６０へ駐車場を車両５０の駐車のために予約した旨の通知と予約駐車場の位置情報とを送る。
電気通信機器６０が、一つの予約駐車場をナビゲーションシステムのマップ上に表示する。
【００８２】
電気通信機器６０が、再検索が必要な否かを判断する。
電気通信機器６０が、再検索が必要と判断すると、予約駐車場の予約を解約することをパーキングサーバに指示し、再度、パーキングサーバ７０へ駐車場を予約するために必要な情報を発信する。
パーキングサーバ７０が、駐車場を予約するために必要な情報を基にして、複数の駐車場から一つまたは複数の駐車場である一つまたは複数の検索駐車場を検索する。
パーキングサーバ７０が、一つまたは複数の検索駐車場を検索した旨と検索駐車場の位置情報を電気通信機器６０へ送る。
電気通信機器６０が、一つまたは複数の検索駐車場をナビゲーションシステムのマップ上に表示する。
パーキングサーバ７０が、駐車場を予約するために必要な情報を基にして、一つまたは複数の駐車場である一つまたは複数の検索駐車場のうちの一つの駐車場を車両５０の駐車のために予約する。
パーキングサーバ７０が、電気通信機器６０へ駐車場を車両５０の駐車のために予約した旨の通知と予約駐車場の位置情報とを送る。
電気通信機器６０が、一つの予約駐車場をナビゲーションシステムのマップ上に表示する。
ナビゲーションシステムが予約駐車場を仮の目的地４０としてナビゲーションする。
【００８３】
電気通信機器６０は、車両５０の移動経路の変更が頻発したとき寄り道もしくは目的地４０が変更されたと判断する。
電気通信機器６０は、目的地４０が変更されたと判断すると、再度、パーキングサーバ７０へ駐車場を予約するために必要な情報を発信する。
パーキングサーバ７０が、駐車場を予約するために必要な情報を基にして、複数の駐車場から一つまたは複数の駐車場である一つまたは複数の検索駐車場を検索する。
パーキングサーバ７０が、一つまたは複数の検索駐車場を検索した旨と検索駐車場の位置情報を電気通信機器６０へ送る。
電気通信機器６０が、一つまたは複数の検索駐車場をナビゲーションシステムのマップ上に表示する。
パーキングサーバ７０が、駐車場を予約するために必要な情報を基にして、一つまたは複数の駐車場である一つまたは複数の検索駐車場のうちの一つの駐車場を車両５０の駐車のために予約する。
パーキングサーバ７０が、電気通信機器６０へ駐車場を車両５０の駐車のために予約した旨の予約駐車場の位置情報を送る。
電気通信機器６０が、一つの予約駐車場をナビゲーションシステムのマップ上に表示する。
【００８４】
車両５０が予約駐車場に到着すると、運転手は電気通信機器６０へパーキングサーバに予約駐車場へ駐車の予約の認証である予約認証を求める指示をする。
電気通信機器６０は、パーキングサーバ７０に予約駐車場へ駐車の予約の認証である予約認証を求める。
パーキングサーバ７０は、予約駐車場に駐車の予約の認証を求めていることを知らせる。
予約駐車場は、車両５０の駐車の予約を認証する。
車両５０が、予約駐車場へ入庫する。
【００８５】
次に、本発明の第二の実施形態にかかる駐車場検索システムにおける電気通信機器用ソフトウエアとパーキングサーバ７０とを、図を基に説明する。
図３は、本発明の第二の実施形態に係る駐車場検索システムのフロー図である。
図３は、本発明の第二の実施形態にかかる駐車場検索システムにおける電気通信機器用ソフトウエアとパーキングサーバの運用方法とを示す。
【００８６】
最初に、本発明の第二の実施形態にかかる駐車場検索システムにおける電気通信機器用ソフトウエアとサーキングサーバの運用方法を説明する。
本発明の第一の実施形態にかかる駐車場検索システムでは、電気通信機器と通信するパーキングサーバが後述する再検索判断を行う。
【００８７】
最初に電気通信機器用ソフトウエアを説明する。
第二の実施形態に係る駐車場検索システムにおける電気通信機器用ソフトウエアは、電気通信機器６０に、各種の手順を実現させる。
第二の実施形態に係る駐車場検索システムにおける電気通信機器用ソフトウエアは、電気通信機器６０に、検索設定手順Ｓ２１を実現させてもよい。
第二の実施形態に係る駐車場検索システムにおける電気通信機器用ソフトウエアは、電気通信機器６０に、検索情報発信手順Ｓ２２と予約通知受け取り手順Ｓ２３とを実現させてもよい。
第二の実施形態に係る駐車場検索システムにおける電気通信機器用ソフトウエアは、電気通信機器６０に、検索情報発信手順Ｓ２２と検索通知受け取り手順Ｓ２３ａとを実現させてもよい。
第二の実施形態に係る駐車場検索システムにおける電気通信機器用ソフトウエアは、検索設定手順Ｓ２１と電気通信機器６０に、検索情報発信手順Ｓ２２と予約通知受け取り手順Ｓ２３とを実現させてもよい。
第二の実施形態に係る駐車場検索システムにおける電気通信機器用ソフトウエアは、電気通信機器６０に、検索情報発信手順Ｓ２２と予約通知受け取り手順Ｓ２３と運転状況取得手順Ｓ２７と経路変更検知手順Ｓ２６とを実現させてもよい。
第二の実施形態に係る駐車場検索システムにおける電気通信機器用ソフトウエアは、電気通信機器６０に、検索情報発信手順Ｓ２２と予約通知受け取り手順Ｓ２３と予約認証要求手順Ｓ２８とを実現させてもよい。
第二の実施形態に係る駐車場検索システムにおける電気通信機器用ソフトウエアは、電気通信機器６０に、検索情報発信手順Ｓ２２と予約通知受け取り手順Ｓ２３と経路ナビ手順（図示せず）とを実現させてもよい。
第二の実施形態に係る駐車場検索システムにおける電気通信機器用ソフトウエアは、電気通信機器６０に、検索情報発信手順Ｓ２２と予約通知受け取り手順Ｓ２３と経路変更検知手順Ｓ２６とを実現させてもよい。
第二の実施形態に係る駐車場検索システムにおける電気通信機器用ソフトウエアは、電気通信機器６０に、検索情報発信手順Ｓ２２と予約通知受け取り手順Ｓ２３と検索通知受け取り手順Ｓ２３ａと解約指示手順Ｓ２５と経路変更検知手順Ｓ２６と運転状況取得手順Ｓ２７と予約認証要求手順Ｓ２８と経路ナビ手順（図示せず）とを実現させてもよい。
【００８８】
検索設定手順Ｓ２１検索情報発信手順Ｓ２２と予約通知受け取り手順Ｓ２３と検索通知受け取り手順Ｓ２３ａと経路変更検知手順Ｓ２６と運転状況取得手順Ｓ２７と予約認証要求手順Ｓ２８と経路ナビ手順（図示せず）は、第一の実施形態にかかる駐車場検索システムにおける電気通信機器用ソフトウエアのものと同じなので、説明を省略する。
【００８９】
以下に第二の実施形態に係る駐車場検索システムにおける電気通信機器用ソフトウエアが、電気通信機器に各種の手順を実行させる手続きを説明する。
【００９０】
第二の実施形態に係る駐車場検索システムにおける電気通信機器用ソフトウエアは、電気通信機器６０に、検索情報発信手順Ｓ２２と予約通知受け取り手順Ｓ２３とを実行させる。
検索情報発信手順Ｓ２２を実行した後で予約通知受け取り手順Ｓ２３を実行させてもよい。
【００９１】
第二の実施形態に係る駐車場検索システムにおける電気通信機器用ソフトウエアは、電気通信機器６０に、検索設定手順Ｓ２１と検索情報発信手順Ｓ２２と予約通知受け取り手順Ｓ２３とを実行させる。
検索設定手順Ｓ２１を実行させた後で検索情報発信手順Ｓ２２を実行し、検索情報発信手順Ｓ２２を実行した後で予約通知受け取り手順Ｓ２３を実行させてもよい。
【００９２】
第二の実施形態にかかる駐車場検索システムにおける電気通信機器用ソフトウエアは、電気通信機器６０に、経路変更検知手順Ｓ２６と解約指示手順Ｓ２５と検索情報発信手順Ｓ２２と予約通知受け取り手順Ｓ２３とを実行させてもよい。
経路変更検知手順Ｓ２６を実行させ、実行した経路変更検知手順Ｓ２６が寄り道もしくは目的地４０が変更されたと判断したときに解約指示手順Ｓ２５と予約通知受け取り手順Ｓ２３とを実行させてもよい。
経路変更検知手順Ｓ２６を実行させ、実行した経路変更検知手順Ｓ２６が寄り道もしくは目的地４０が変更されたと判断したときに解約指示手順Ｓ２５を実行させ、解約指示手順Ｓ２５を実行させた後で検索情報発信手順Ｓ２２を実行させ、検索情報発信手順Ｓ２２を実行させた後で、予約通知受け取り手順Ｓ２３とを実行させてもよい。
【００９３】
第二の実施形態にかかる駐車場検索システムにおける電気通信機器用ソフトウエアは、電気通信機器６０に、予約認証要求手順Ｓ２８を実行させてもよい。
車両５０が予約駐車場に到着したときにドライバの操作により電気通信機器に予約認証要求手順を実行させる。
【００９４】
第二の実施形態にかかる駐車場検索システムにおける電気通信機器用ソフトウエアは、電気通信機器６０に、予約通知受け取り手順Ｓ２３と経路ナビ手順（図示せす）を実行させてもよい。
予約通知受け取り手順Ｓ２３を実行した後で経路ナビ手順（図示せす）を実行させてもよい。
【００９５】
次に、本発明の第二の実施形態にかかる駐車場検索システムにおけるパーキングサーバの運用方法を説明する。
【００９６】
本発明の第二の実施形態にかかる駐車場検索システムにおけるパーキングサーバの運用方法は、準備・更新工程Ｓ１１と検索情報受信工程Ｓ１２と検索工程Ｓ１３とで構成されてもよい。
本発明の第二の実施形態にかかる駐車場検索システムにおけるパーキングサーバの運用方法は、準備・更新工程Ｓ１１と検索情報受信工程Ｓ１２と検索工程Ｓ１３と予約工程！４とで構成されてもよい。
本発明の第二の実施形態にかかる駐車場検索システムにおけるパーキングサーバの運用方法は、準備・更新工程Ｓ１１と検索情報受信工程Ｓ１２と検索工程Ｓ１３と型式特定工程１５とで構成されてもよい。
本発明の第二の実施形態にかかる駐車場検索システムにおけるパーキングサーバの運用方法は、準備・更新工程Ｓ１１と検索情報受信工程Ｓ１２と検索工程Ｓ１３と再検索判断工程１６とで構成されてもよい。
本発明の第二の実施形態にかかる駐車場検索システムにおけるパーキングサーバの運用方法は、準備・更新工程Ｓ１１と検索情報受信工程Ｓ１２と検索工程Ｓ１３と解約工程１７とで構成されてもよい。
本発明の第二の実施形態にかかる駐車場検索システムにおけるパーキングサーバの運用方法は、準備・更新工程Ｓ１１と検索情報受信工程Ｓ１２と検索工程Ｓ１３と予約認証工程１８とで構成されてもよい。
本発明の第二の実施形態にかかる駐車場検索システムにおけるパーキングサーバの運用方法は、準備・更新工程Ｓ１１と検索情報受信工程Ｓ１２と検索工程Ｓ１３と予約工程！４と型式特定工程１５と再検索判断工程１６と解約工程１７と予約認証工程１８とで構成されてもよい。
【００９７】
準備・更新工程Ｓ１１と検索情報受信工程Ｓ１２と検索工程Ｓ１３と予約工程！４と型式特定工程１５と解約工程１７と予約認証工程１８とは、第一の実施形態に係る駐車場検索システムにおけるパーキングサーバの運用方法のもと同じなので、説明を省略する。
【００９８】
再検索判断工程Ｓ１６は、最新の目的地位置情報を基にして、駐車場の再検索が必要な否かを判断する工程である。
再検索判断工程Ｓ１６は、最新の目的地位置情報を基にして、目的地位置情報と予約駐車場に関連づけられる位置情報である予約駐車場位置情報とが所定の地理的関係をもたないとき駐車場の再検索が必要と判断してもよい。また、再検索判断工程１６は、目的地位置情報と予約駐車場に関連づけられる位置情報である予約駐車場位置情報とが所定の地理的関係をもつとき駐車場の再検索が必要と判断しないとしてもよい。
再検索判断工程Ｓ１６が、最新の目的地位置情報と最新の到着予定時刻とを基にして、駐車場の再検索が必要な否かを判断してもよい。
再検索判断工程Ｓ１６が、最新の目的地位置情報と最新の到着予定時刻とを基にして、目的地位置情報と予約駐車場に関連づけられる位置情報である予約駐車場位置情報とが所定の地理的関係をもたない、またはの到着予定時刻と駐車予約時刻とが所定の時間的関係をもたないとき駐車場の再検索が必要と判断してもよい。また、再検索判断工程Ｓ１６が、目的地位置情報と予約駐車場に関連づけられる位置情報である予約駐車場位置情報とが所定の地理的関係をもつ、且つ到着予定時刻と駐車予約時刻とが所定の時間的関係をもつとき駐車場の再検索が必要と判断しないとしてもよい。
再検索判断手順Ｓ２４が、最新の到着予定時刻を基にして駐車場の再検索が必要な否かを判断してもよい。
再検索判断工程Ｓ２４が、最新の到着予定時刻を基にして、到着予定時刻と駐車予約時刻とが所定の時間的関係をもたないとき駐車場の再検索が必要と判断してもよい。また、再検索判断工程Ｓ２４が、到着予定時刻と駐車予約時刻とが所定の時間的関係をもつとき駐車場の再検索が必要と判断しないとしてもよい。
【００９９】
以下に第二の実施形態に係る駐車場検索システムにおけるパーキングサーバの運用方法は、各種の工程を実施する手続きを説明する。
【０１００】
本発明の第二の実施形態にかかる駐車場検索システムにおけるパーキングサーバの運用方法は、車両５０に対応して、設定・更新工程Ｓ１１を実施する。
駐車場毎に、設定・更新工程Ｓ１１を実施する。
【０１０１】
本発明の第二の実施形態にかかる駐車場検索システムにおけるパーキングサーバの運用方法は、車両５０に対応して、検索情報主受信工程Ｓ１２と検索工程Ｓ１３とを実施する。
車両５０に対応して、検索情報主受信工程Ｓ１２を実施し、検索情報主受信工程Ｓ１２を実施した後で検索工程Ｓ１３とを実施する。
【０１０２】
本発明の第二の実施形態にかかる駐車場検索システムにおけるパーキングサーバの運用方法は、車両５０に対応して、検索情報主受信工程Ｓ１２と検索工程Ｓ１３と予約工程Ｓ１４とを実施する。
車両５０に対応して、検索情報主受信工程Ｓ１２を実施し、検索情報主受信工程Ｓ１２を実施した後で、検索工程Ｓ１３とを実施する。
【０１０３】
本発明の第二の実施形態にかかる駐車場検索システムにおけるパーキングサーバの運用方法は、車両５０に対応して、検索情報受信工程Ｓ１２と型式特定工程Ｓ１５と検索工程Ｓ１３と予約工程Ｓ１４とを実施してもよい。
車両５０に対応して、検索情報受信工程Ｓ１２を実施し、検索情報受信工程Ｓ１２を実施した後で型式特定工程Ｓ１５を実施し、型式特定工程Ｓ１５を実施した後で検索工程Ｓ１３を実施し、検索工程Ｓ１３を実施した後で予約工程Ｓ１４を実施してもよい。
【０１０４】
本発明の第二の実施形態にかかる駐車場検索システムにおけるパーキングサーバの運用方法は、車両５０に対応して、検索情報受信工程Ｓ１２と検索工程Ｓ１３と予約工程Ｓ１４とを実施した後で検索情報受信工程Ｓ１２と再検索判断工程Ｓ１６とを実施し、実施した再検索判断工程Ｓ１６で再検索が必要と判断すると検索工程Ｓ１３と解約工程Ｓ１７と予約工程Ｓ１４とを実施してもよい。
車両５０に対応して、検索情報受信工程Ｓ１２を実施し、検索情報受信工程Ｓ１２を実施した後で検索工程Ｓ１３を実施し、検索工程Ｓ１３を実施した後で予約工程Ｓ１４とを実施し、予約工程Ｓ１４とを実施した後で検索情報受信工程Ｓ１２を実施し、検索情報受信工程Ｓ１２を実施した後で再検索判断工程Ｓ１６を実施し、実施した再検索判断工程Ｓ１６で再検索が必要と判断すると検索工程Ｓ１３と解約工程Ｓ１７と予約工程Ｓ１４とを実施してもよい。
【０１０５】
本発明の第二の実施形態にかかる駐車場検索システムにおけるパーキングサーバの運用方法は、車両５０に対応して、検索情報受信工程Ｓ１２と型式特定工程Ｓ１５と検索工程Ｓ１３と予約工程Ｓ１４とを実施した後で検索情報受信工程Ｓ１２と再検索判断工程Ｓ１６とを実施し、実施した再検索判断工程Ｓ１６で再検索が必要と判断すると型式特定工程Ｓ１５と検索工程Ｓ１３と解約工程Ｓ１７と予約工程Ｓ１４とを実施してもよい。
車両５０に対応して、検索情報受信工程Ｓ１２を実施し、検索情報受信工程Ｓ１２を実施した後で型式特定工程Ｓ１５を実施し、型式特定工程Ｓ１５を実施した後で検索工程Ｓ１３を実施し、検索工程Ｓ１３を実施した後で予約工程Ｓ１４とを実施し、予約工程Ｓ１４と実施した後で検索情報受信工程Ｓ１２を実施し、検索情報受信工程Ｓ１２を実施した後で再検索判断工程Ｓ１６とを実施し、実施した再検索判断工程Ｓ１６で再検索が必要と判断すると型式特定工程Ｓ１５と検索工程Ｓ１３と解約工程Ｓ１７と予約工程Ｓ１４とを実施してもよい。
【０１０６】
本発明の第二の実施形態にかかる駐車場検索システムにおけるパーキングサーバの運用方法は、車両５０に対応して、検索情報受信工程Ｓ１２と検索工程Ｓ１３とを実施した後で検索情報受信工程Ｓ１２と再検索判断工程Ｓ１６とを実施し、実施した再検索判断工程Ｓ１６で再検索が必要と判断すると検索工程Ｓ１３を実施してもよい。
車両５０に対応して、検索情報受信工程Ｓ１２を実施し、検索情報受信工程Ｓ１２を実施した後で検索工程Ｓ１３を実施し、検索工程Ｓ１３を実施した後で検索情報受信工程Ｓ１２を実施し、検索情報受信工程Ｓ１２を実施した後で再検索判断工程Ｓ１６を実施し、実施した再検索判断工程Ｓ１６で再検索が必要と判断すると検索工程Ｓ１３を実施してもよい。
【０１０７】
以下に、本発明の第二の実施形態にかかる駐車場検索システムの作用を説明する。
パーキングサーバが、準備・更新工程を繰り返し実施する。
その結果、駐車場情報が駐車場毎に準備される。
また、駐車場情報が駐車場毎に最新の状態に維持される。
車両５０の運転手が、車両５０に搭載された電気通信機器に対して駐車場を予約するために必要な情報を入力する。
電気通信機器６０が、パーキングサーバ７０へ駐車場を予約するために必要な情報を発信する。
パーキングサーバ７０が、駐車場を予約するために必要な情報を基にして、複数の駐車場から一つまたは複数の駐車場である一つまたは複数の検索駐車場を検索する。
パーキングサーバ７０が、一つまたは複数の検索駐車場を検索した旨と検索駐車場の位置情報を電気通信機器６０へ送る。
電気通信機器６０が、一つまたは複数の検索駐車場をナビゲーションシステムのマップ上に表示する。
パーキングサーバ７０が、駐車場を予約するために必要な情報を基にして、一つまたは複数の駐車場である一つまたは複数の検索駐車場のうちの一つの駐車場を車両５０の駐車のために予約する。
パーキングサーバ７０が、電気通信機器６０へ駐車場を車両５０の駐車のために予約した旨の予約駐車場の位置情報を送る。
電気通信機器６０が、一つの予約駐車場をナビゲーションシステムのマップ上に表示する。
【０１０８】
パーキングサーバ７０が、パーキングサーバ７０へ駐車場を予約するために必要な情報を受信し、再検索が必要と判断すると、駐車場を予約するために必要な情報を基にして、複数の駐車場から一つまたは複数の駐車場である一つまたは複数の検索駐車場を検索する。
パーキングサーバ７０が、一つまたは複数の検索駐車場を検索した旨と検索駐車場の位置情報を電気通信機器６０へ送る。
電気通信機器６０が、一つまたは複数の検索駐車場をナビゲーションシステムのマップ上に表示する。
パーキングサーバ７０が、駐車場を予約するために必要な情報を基にして、一つまたは複数の駐車場である一つまたは複数の検索駐車場のうちの一つの駐車場を車両５０の駐車のために予約する。
パーキングサーバ７０が、電気通信機器６０へ駐車場を車両５０の駐車のために予約した旨の予約駐車場の位置情報を送る。
電気通信機器６０が、一つの予約駐車場をナビゲーションシステムのマップ上に表示する。
ナビゲーションシステムが予約駐車場を仮の目的地４０としてナビゲーションする。
【０１０９】
電気通信機器６０は、車両５０の移動経路の変更が頻発したとき寄り道もしくは目的地４０が変更されたと判断する。
電気通信機器６０は、目的地４０が変更されたと判断すると、再度、パーキングサーバ７０へ駐車場を予約するために必要な情報を発信する。
パーキングサーバ７０が、駐車場を予約するために必要な情報を基にして、複数の駐車場から一つまたは複数の駐車場である一つまたは複数の検索駐車場を検索する。
パーキングサーバ７０が、一つまたは複数の検索駐車場を検索した旨と検索駐車場の位置情報を電気通信機器６０へ送る。
電気通信機器６０が、一つまたは複数の検索駐車場をナビゲーションシステムのマップ上に表示する。
パーキングサーバ７０が、駐車場を予約するために必要な情報を基にして、一つまたは複数の駐車場である一つまたは複数の検索駐車場のうちの一つの駐車場を車両５０の駐車のために予約する。
パーキングサーバ７０が、電気通信機器６０へ駐車場を車両５０の駐車のために予約した旨の予約駐車場の位置情報を送る。
電気通信機器６０が、一つの予約駐車場をナビゲーションシステムのマップ上に表示する。
【０１１０】
車両５０が予約駐車場に到着すると、運転手は電気通信機器６０へパーキングサーバに予約駐車場へ駐車の予約の認証である予約認証を求める指示をする。
電気通信機器６０は、パーキングサーバ７０に予約駐車場へ駐車の予約の認証である予約認証を求める。
パーキングサーバ７−は、予約駐車場に駐車の予約の認証を求めていることを知らせる。
予約駐車場は、車両５０の駐車の予約の認証をする。
車両５０が、予約駐車場へ入庫する。
【０１１１】
本発明の第二の実施形態にかかる駐車場検索システムにおけるパーキングサーバの運用方法は、車両５０に対応して、解約工程１７を実施してもよい。
車両５０に搭載される電気通信機器から予約駐車場の予約を解約する指示を受けると、解約工程１７を実施しても良い。
【０１１２】
また、本発明の実施形態に係るパーキングサーバの運用方法は、その構成により、以下の効果を有する。
パーキングサーバ７０が、車両５０に搭載される電気通信機器６０から目的地位置情報を受信し、準備・更新する複数の駐車場情報と目的地位置情報とを基にして目的地位置情報に所定の地理的関係をもつ駐車場位置情報を関連づけられる駐車場を検索する様にしたので、車両５０の目的地に所定の地理的関係にある駐車場を目的地４０に着く前に検索できる。
また、パーキングサーバ７０が、車両５０に搭載される電気通信機器６０から目的地位置情報を受信し、準備・更新する複数の駐車場情報と目的地位置情報とを基にして目的地位置情報に所定の地理的関係をもつ駐車場位置情報を関連づけられる駐車場を車両５０の駐車のために予約する様にしたので、車両５０の目的地４０に所定の地理的関係にある駐車場を目的地４０に着く前に予約できる。
また、パーキングサーバ７０が、車両５０に搭載される電気通信機器６０から目的地位置情報と到着予定時刻とを受信し、準備・更新する複数の駐車場情報と目的地位置情報と到着予定時刻とを基にして目的地位置情報に所定の地理的関係をもつ駐車場位置情報を関連づけられ、且つ到着予定時刻に所定の時間的関係をもつ時刻に駐車可能である駐車場を車両５０の駐車のために予約する様にしたので、車両５０の目的地４０に所定の地理的関係にあり到着予定時刻に所定の時間的関係のある駐車場を目的地４０に着く前に検索できる。
また、パーキングサーバ７０が、車両情報を基にして車両型式情報を特定し、準備・更新する複数の駐車場情報と目的地位置情報と到着予定時刻と車両型式情報とを基にして目的地位置情報に所定の地理的関係をもつ駐車場位置情報を関連づけられ、且つ到着予定時刻に所定の時間的関係をもつ時刻に駐車可能である駐車場を車両５０の駐車のために予約する様にしたので、車両５０の目的地４０に所定の地理的関係にあり到着予定時刻に所定の時間的関係のあり、且つ前記車両型式情報に対応する車両型式の車両５０を受入れ可能な駐車場を目的地４０に着く前に検索できる。
また、パーキングサーバ７０が、車両情報を基にして車両型式情報を特定し、準備・更新する複数の駐車場情報と目的地位置情報と到着予定時刻と車両型式情報とを基にして目的地位置情報に所定の地理的関係をもつ駐車場位置情報を関連づけられ、且つ到着予定時刻に所定の時間的関係をもつ時刻に駐車可能である駐車場を車両５０の駐車のために予約する様にしたので、車両５０の目的地４０に所定の地理的関係にあり到着予定時刻に所定の時間的関係のあり、且つ前記車両型式情報に対応する車両型式の車両５０を受入れ可能な駐車場を目的地４０に着く前に検索できる。
また、パーキングサーバ７０が、再度受信された前記目的地位置情報と前記予約駐車場の駐車場位置情報とが所定の地理的関係をもたないとき駐車場の再予約が必要と判断する様にしたので、走行中に目的地４０が変更になったときも迅速に予約駐車場を変更できる。
また、パーキングサーバ７０が、駐車場を予約した車両５０に搭載される電気通信機器６０から再度受信した目的地位置情報と到着予定時刻とを基にして駐車場の再予約が必要と判断すると、予約駐車場の予約を解約して、再度受信した目的地位置情報と到着予定時刻を基にして検索した駐車場を車両５０の駐車のために予約する様にしたので、走行中に目的地４０が変更になった、または目的地到着時刻が大きく変化したときも迅速に予約駐車場を変更できる。
また、パーキングサーバ７０が、再度受信された前記目的地位置情報と前記予約駐車場に関連づけられる駐車場位置情報とが所定の地理的関係をもたない、または再度受信された前記到着予定時刻と前記駐車予約時刻とが所定の時間的関係をもたないとき駐車場の再予約が必要と判断する様にしたので、走行中に目的地４０が変更になった、または目的地到着時刻が大きく変化したときも迅速に予約駐車場を変更できる。
また、パーキングサーバ７０が、前記予約駐車場を車両５０の駐車のために予約した旨の通知と共に前記予約駐車場の位置情報である駐車場位置情報を送信する様にしたので、前記電気通信機器６０は予約駐車場の位置を知ることができる。
また、パーキングサーバ７０が、前記検索駐車場の位置情報である駐車場位置情報を送信する様にしたので、前記電気通信機器６０は検索駐車場の位置を知ることができる。
また、パーキングサーバ７０が、駐車場を予約した車両５０に搭載される電気通信機器６０から再度受信した到着予定時刻とを基にして駐車場の再予約が必要と判断すると、予約駐車場の予約を解約して、再度受信した到着予定時刻を基にして検索した駐車場を車両５０の駐車のために予約する様にしたので、目的地到着時刻が変化したときも迅速に予約駐車場を変更できる。
また、パーキングサーバ７０が、再度受信された前記到着予定時刻と前記駐車予約時刻とが所定の時間的関係をもたないとき駐車場の再予約が必要と判断する様にしたので、目的地到着時刻が大きく変化したときも迅速に予約駐車場を変更できる。
また、パーキングサーバ７０が、複数の駐車場から故障中／点検中情報が故障中または点検中であることを示す駐車場を除外して複数の検索駐車場を検索する様にしたので、故障中または点検中の駐車場を検索駐車場の対象から外すことができる。
また、パーキングサーバ７０が、複数の検索駐車場のうちの混雑度情報が示す混雑度が最も低い一つの駐車場である予約駐車場を車両の駐車のために予約する様にしたので、検索した複数の駐車場のうちから混雑度の低い駐車場を予約できる。
また、駐車場の入出庫口での単位時間当たりの入庫回数、出庫回数、両者の合計回数のうちのどれか一つの回数が大小に応じて前記混雑度が高低する様にしたので、パーキングサーバ７０が、検索した複数の駐車場のうちから入出庫の頻度の低い駐車場を予約できる。
【０１１３】
以上説明したように、本発明の実施形態にかかる電気通信機器用ソフトウエアは、その構成により、以下の効果を奏する。
電気通信機器６０が、パーキングサーバ７０へ目的地４０の位置情報である目的地位置情報を発信し、パーキングサーバ７０から複数の駐車場情報と前記目的地位置情報を基にして検索した予約駐車場を車両５０の駐車のため予約した旨の通知を受けとる様にしたので、目的地位置情報を考慮して検索した駐車場を予約できる。
また、電気通信機器６０が、パーキングサーバ７０へ目的地４０の位置情報である目的地位置情報と到着予定時刻とを発信し、パーキングサーバ７０から複数の駐車場情報と前記目的地位置情報と前記到着予定時刻とを基にして検索し予約した予約駐車場を車両５０の駐車のため予約した旨の通知を受けとる様にしたので、目的地位置情報と到着予定時刻とを考慮して検索した駐車場を予約できる。
また、パーキングサーバ７０から駐車予約時刻を受け取り、前記駐車予約時刻と前記到着予定時刻とを基にして駐車場の再予約が必要な否かを判断し、必要と判断すると予約駐車場の予約を解約し、パーキングサーバ７０に目的地位置情報を発進し、パーキングサーバ７０から複数の駐車場情報と前記目的地位置情報を基にして検索し予約した予約駐車場を車両５０の駐車のため予約した旨の通知を受けとる様にしたので、前記到着予定時刻を考慮して検索した駐車場を再予約できる。
また、前記到着予定時刻と前記駐車予約時刻とが所定の時間的関係をもたないとき駐車場の再予約が必要と判断する様にしたので、到着予定時刻を考量して駐車場を再予約できる。
また、パーキングサーバ７０から予約駐車場を予約した旨の通知と共に駐車場位置情報と駐車場での駐車予約時刻とを受け取り、前記駐車場位置情報と前記目的地位置情報とが所定の地理的関係をもたないとき、または前記到着予定時刻と前記駐車予約時刻とが所定の時間的関係をもたないとき駐車場の再予約が必要と判断する様にしたので、前記目的地位置情報と前記到着予定時刻とを考慮して駐車場を再予約できる。
また、車両５０の移動経路の変更が頻発したとき寄り道もしくは目的地４０が変更されたと判断し、寄り道もしくは目的地４０が変更されたと判断したときに前記解約指示手順と前記予約情報発信手順と前記予約通知受け取り手順とを実行する様にしたので、移動経路の変更が頻発したとき駐車場を再予約できる。
また、車両５０が前記予約駐車場に到着したときにドライバの操作によりパーキングサーバ７０に前記予約駐車場へ駐車の予約の認証である予約認証を求める様にしたので、パーキングサーバ７０が予約駐車場へ予約を認証して車両５０を予約駐車場に駐車できる。
また、パーキングサーバ７０から前記予約駐車場を車両５０の駐車のため予約した旨の通知と共に予約した前記予約駐車場の駐車場位置情報を受信し、駐車場位置情報までの経路をナビゲーションする様にしたので、予約駐車場へ迅速に到着できる。
また、パーキングサーバ７０から予約駐車場を予約した旨の通知と共に駐車場位置情報を受け取り、前記駐車場位置情報と前記目的地位置情報とが所定の地理的関係をもたないとき、駐車場の再予約が必要と判断する様にしたので、前記目的地位置情報と前記到着予定時刻とを考慮して駐車場を再予約できる。
また、パーキングサーバ７０から予約駐車場を予約した旨の通知と共に駐車場位置情報を受け取り、前記駐車場位置情報と前記目的地位置情報とが所定の地理的関係をもたないとき、駐車場の再予約が必要と判断する様にしたので、前記目的地位置情報と前記到着予定時刻とを考慮して駐車場を再予約できる。
【０１１４】
本発明は以上に述べた実施形態に限られるものではなく、発明の要旨を逸脱しない範囲で各種の変更が可能である。
例えば、第一の実施形態にかかる駐車場検索システムにおける電気通信機器用ソフトウエアと第二実施形態にかかる駐車場検索システムにおけるパーキングサーバ７０の運用方法とを組み合わせてもよい。
【符号の説明】
【０１１５】
４０  目的地
５０  車両
６０  電気通信機器
７０  パーキングサーバ
８０  駐車場
Ｓ１１  準備・更新工程
Ｓ１２  検索情報受信工程
Ｓ１３  検索工程
Ｓ１４  予約工程
Ｓ１５  型式特定工程
Ｓ１６  再検索判断工程
Ｓ１７  解約工程
Ｓ１８  予約認証工程
Ｓ２１  検索設定手順
Ｓ２２  検索情報発信手順
Ｓ２３  予約通知受け取り手順
Ｓ２３ａ  検索通知受け取り手順
Ｓ２４  再検索判断手順
Ｓ２５  解約指示手順
Ｓ２６  経路変更検知手順
Ｓ２７  運転状況取得手順
Ｓ２８  予約認証要求手順
Ｓ２９  入庫工程
【先行技術文献】
【特許文献】
【０１１６】
【特許文献１】特開２０１５−０７５９８１号
【特許文献２】特開２００６−１７０７５９号
【特許文献３】特開平０９−３０４０９９号
【図１】
2020201267.tif 000003
【図２】
2020201267.tif 000004
【図３】
2020201267.tif 000005
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
目的地に向かって走行する車両に対応して駐車場の検索をおこなう駐車場検索システムにおけるパーキングサーバと通信可能な電気通信機器用ソフトウエアであって、
電気通信機器に、
検索情報発信手順と予約通知受け取り手順とを実行させ、
前記検索情報発信手順がパーキングサーバへ目的地の位置情報である目的地位置情報と該目的地に到着する予定時刻である到着予定時刻とを発信し、
前記予約通知受け取り手順がパーキングサーバから複数の駐車場の情報である複数の駐車場情報と最新の前記目的地位置情報と最新の前記到着予定時刻とを基に検索した駐車場である単数または複数の検索駐車場のうちの一つの駐車場である予約駐車場を車両の駐車のため予約した旨の通知と共に前記予約駐車場での駐車を予約した駐車時刻である駐車予約時刻とを受けとる、
ことを特徴とする電気通信機器用ソフトウエア。
【請求項２】
電気通信機器に、
前記検索情報発信手順と前記予約通知受け取り手順とを実行させた後で再検索判断手順を実行させ、実行した該再検索判断手順が再検索が必要と判断すると解約指示手順と前記検索情報発信手順と前記予約通知受け取り手順とを実行させ、
前記再検索判断手順が最新の前記到着予定時刻を基に駐車場の再検索が必要な否かを判断し、
前記解約指示手順が前記予約駐車場の予約を解約することをパーキングサーバに指示する、
ことを特徴とする請求項１に記載の電気通信機器用ソフトウエア。
【請求項３】
前記再検索判断手順が最新の前記到着予定時刻を基にして前記到着予定時刻と前記駐車予約時刻とが所定の時間的関係をもたないとき駐車場の再検索が必要と判断する、
ことを特徴とする請求項２に記載の電気通信機器用ソフトウエア。
【請求項４】
前記予約通知受け取り手順がパーキングサーバから複数の駐車場の情報である複数の駐車場情報と最新の前記目的地位置情報とを基に検索した駐車場である単数または複数の検索駐車場のうちの一つの駐車場である前記予約駐車場を車両の駐車のため予約した旨の通知と共に前記予約駐車場の位置情報である予約駐車場位置情報と駐車場での駐車を予約した駐車時刻である駐車予約時刻とを受け取り、
前記再検索判断手順が最新の前記目的位置情報と最新の前記到着予定時刻とを基に前記目的位置情報と前記予約駐車場位置情報とが所定の地理的関係をもたないとき、または前記到着予定時刻と前記駐車予約時刻とが所定の時間的関係をもたないとき駐車場の再検索が必要と判断する、
ことを特徴とする請求項３に記載の電気通信機器用ソフトウエア。
【請求項５】
電気通信機器に、
経路変更検知手順を実行させ、実行した該経路変更検知手順が寄り道もしくは目的地が変更されたと判断したときに前記解約指示手順と前記検索情報発信手順と前記予約通知受け取り手順とを実行させ、
前記経路変更検知手順が車両の移動経路の変更が頻発したとき寄り道もしくは目的地が変更されたと判断する、
ことを特徴とする請求項４に記載の電気通信機器用ソフトウエア。
【請求項６】
車両が前記予約駐車場に到着したときにドライバの操作により電気通信機器に予約認証要求手順を実行させ、
前記予約認証要求がパーキングサーバに前記予約駐車場へ駐車の予約の認証である予約認証を求める、
ことを特徴とする請求項５に記載の電気通信機器用ソフトウエア。
【請求項７】
目的地に向かって走行する車両に対応して駐車場の検索をおこなう駐車場検索システムにおけるパーキングサーバと通信可能な電気通信機器用ソフトウエアであって、
電気通信機器に、
検索情報発信手順と予約通知受け取り手順とを実行させた後で再検索判断手順を実行させ、実行した該再検索判断手順が再検索が必要と判断すると前記検索情報発信手順と解約指示手順と予約通知受け取り手順とを実行させ、
前記検索情報発信手順がパーキングサーバへ目的地の位置情報である目的地位置情報を発信し、
前記予約通知受け取り手順がパーキングサーバから複数の駐車場の情報である複数の駐車場情報と最新の前記目的地位置情報とを基に検索した駐車場である単数または複数の検索駐車場のうちの一つの駐車場である予約駐車場を車両の駐車のため予約した旨の通知と共に前記予約駐車場の位置情報である予約駐車場位置情報を受け取り、
前記再検索判断手順が前記予約駐車場位置情報と前記目的地位置情報とを基に駐車場の再検索が必要な否かを判断し、
前記解約指示手順が前記予約駐車場の予約を解約することをパーキングサーバに指示する、
ことを特徴とする電気通信機器用ソフトウエア。
【請求項８】
目的地に向かって走行する車両に対応して駐車場の検索をおこなう駐車場検索システムにおけるパーキングサーバと通信可能な電気通信機器用ソフトウエアであって、
電気通信機器に、
検索情報発信手順と予約通知受け取り手順とを実行させた後で再検索判断手順を実行させ、実行した該再検索判断手順が再検索が必要と判断すると前記検索情報発信手順と解約指示手順と前記予約通知受け取り手順（とを実行させ、
前記検索情報発信手順がパーキングサーバへ目的地の位置情報である目的地位置情報を発信し、
前記予約通知受け取り手順がパーキングサーバから複数の駐車場の情報である複数の駐車場情報と最新の前記目的地位置情報とを基に検索した駐車場である単数または複数の検索駐車場のうちの一つの駐車場である前記予約駐車場を車両の駐車のため予約した旨の通知と共に前記予約駐車場の位置情報である予約駐車場位置情報を受け取り、
前記再検索判断手順が最新の前記目的地位置情報を基にして前記予約駐車場位置情報と前記目的地位置情報とが所定の地理的関係をもたないとき駐車場の再検索が必要と判断し
前記解約指示手順が前記予約駐車場の予約を解約することをパーキングサーバに指示する、
ことを特徴とする電気通信機器用ソフトウエア。
【請求項９】
目的地に向かって走行する車両に対応して駐車場の検索をおこなう駐車場検索システムにおけるパーキングサーバと通信可能な電気通信機器用ソフトウエアであって、
電気通信機器に、
経路変更検知手順を実行させ、実行した該経路変更検知手順が寄り道もしくは目的地が変更されたと判断したときに解約指示手順と検索情報発信手順と予約通知受け取り手順とを実行させ、
前記経路変更検知手順が移動経路の変更が頻発したときに、寄り道もしくは目的地が変更されたと判断する、
前記解約指示手順が前記予約駐車場の予約を解約することをパーキングサーバに指示する、
前記検索情報発信手順がパーキングサーバへ目的地の位置情報である目的地位置情報を発信し、
前記予約通知受け取り手順がパーキングサーバから複数の駐車場の情報である複数の駐車場情報と最新の前記目的地位置情報と最新の前記到着予定時刻とを基に検索した駐車場である単数または複数の検索駐車場のうちの一つの駐車場である予約駐車場を車両の駐車のため予約した旨の通知を受けとる、
ことを特徴とする電気通信機器用ソフトウエア。
【請求項１０】
目的地に向かって走行する車両に対応して駐車場の検索をおこなう駐車場検索システムにおけるパーキングサーバと通信可能な電気通信機器用ソフトウエアであって、
電気通信機器に、
検索情報発信手順と予約通知受け取り手順とを実行させ、
車両が前記予約駐車場に到着したときにドライバの操作により電気通信機器に予約認証要求手順を実行させ、
前記検索情報発信手順がパーキングサーバへ目的地の位置情報である目的地位置情報を発信し、
前記予約通知受け取り手順がパーキングサーバから複数の駐車場の情報である複数の駐車場情報と最新の前記目的地位置情報と最新の前記到着予定時刻とを基に検索した駐車場である単数または複数の検索駐車場のうちの一つの駐車場である予約駐車場を車両の駐車のため予約した旨の通知を受けとり、
前記予約認証要求がパーキングサーバに前記予約駐車場へ駐車の予約の認証である予約認証を求める、
ことを特徴とする電気通信機器用ソフトウエア。